(57)【要約】  ４つのタイプの伸縮モジュールが開示されており、第１のタイプは一対の両端にある雌端部を有し、第２のタイプは一対の両端にある雌端部を有し、第３のタイプは雌端部と両端にある雄端部とを有する。第４のタイプは、２つの両端にある雄端部を有し、その間に位置決め可能なねじロッドと保持コンポーネントが伸縮モジュールの雄端部の間の長さを安定的に延ばす。あるいは、伸縮モジュールの第４のタイプは、雌端部と雄端部を有してもよい。第２、第３、及び第４のタイプの伸縮モジュール式コンポーネントの雄端部のそれぞれは、円柱形の本体の円周面に間隔を空けて位置する２つ以上の突起からなる１つ以上の直線状の突起セットを有する円柱形の本体を含む。雌端部のそれぞれは、円柱形の本体を内部に受容するための１つ以上の直線状チャネル及び／又は突起保持スロットを備える円柱形のレセプタクルを有する。【選択図】図７
2020534488.tif 000002
【特許請求の範囲】
【請求項１】
複数の着脱可能に係合された携帯型モジュールを有する構造アセンブリを着脱可能に構成する際に用いられる携帯型伸縮モジュールであって、前記伸縮モジュールは、
ハウジング要素であって、それから外向きに延びる第１の雌端部を有する、ハウジング要素と、前記ハウジング要素内に収容され、それから外向きに延びる延長具要素と、を含み、前記延長具要素は、前記第１の雌端部の反対側にある外向きに延びる第２の雌端部を有し、前記延長具要素は、前記ハウジング要素から外向きに延長可能及び前記ハウジング要素内に格納可能である、第１の細長い伸縮支持コンポーネント、又は、
ハウジング要素であって、それから外向きに延びる第１の雄端部を有する、ハウジング要素と、前記ハウジング要素内に収容され、それから外向きに延びる延長具要素と、を含み、前記延長具要素は、前記第１の雄端部の反対側にある外向きに延びる第２の雄端部を有し、前記延長具要素は、前記ハウジング要素から外向きに延長可能及び前記ハウジング要素内に格納可能である、第２の細長い伸縮支持コンポーネント、又は、
ハウジング要素であって、それから外向きに延びる雌端部を有する、ハウジング要素と、前記ハウジング要素内に収容され、それから外向きに延びる延長具要素と、を含み、前記延長具要素は、前記雌端部の反対側にある外向きに延びる雄端部を有し、前記延長具要素は、前記ハウジング要素から外向きに延長可能及び前記ハウジング要素内に格納可能である、第３の細長い伸縮支持コンポーネント、を含み、
前記雄端部は、複数の携帯型モジュールのうちの１つ以上からの雌端部と脱着可能に係合するように構成され、前記雄端部のそれぞれが、円柱形の本体の円周面の周りに少なくとも１つの直線状の突起セットを備える前記円柱形の本体を含み、それぞれの突起セットが、間隔を空けて位置する２つ以上の突起を有し、
前記雌端部のそれぞれは、複数の携帯型モジュールのうちの１つ以上からの雄端部を内部に着脱可能に受容して、前記雄端部と係合するように構成された円柱形のレセプタクルを有し、
前記第１、第２、及び第３の伸縮支持コンポーネントは、油圧アクチュエータシステム、又は空気圧アクチュエータシステム、又は電動リニアアクチュエータシステムのうちの１つをさらに含む、携帯型伸縮モジュール。
【請求項２】
前記第３の細長い伸縮支持コンポーネントは、ハウジング要素であって、それから外向きに延びる前記雄端部を有する、ハウジング要素と、前記ハウジング要素内に収容され、前記ハウジング要素から外向きに延長可能及び前記ハウジング要素内に格納可能である延長具要素を含み、前記延長具要素は、前記雄端部の反対側にある外向きに延びる雌端部を有する、請求項１に記載の携帯型伸縮モジュール。
【請求項３】
前記レセプタクルは、前記少なくとも１つの直線状の突起セットを内部にスライド可能に受容するための、１つ以上の直線状チャネルを有する、請求項１又は２に記載の携帯型伸縮モジュール。
【請求項４】
前記レセプタクルは、前記少なくとも１つの直線状の突起セットを内部にスライド可能に受容するための、１つ以上の突起保持スロットを有する、請求項１又は２に記載の携帯型伸縮モジュール。
【請求項５】
前記雌端部のそれぞれに、前記複数の携帯型モジュールのうちの１つ以上からの雄端部と解除可能に内部で係合するためのロック用アセンブリが設けられている、請求項１又は２に記載の携帯型伸縮モジュール。
【請求項６】
前記ロック用アセンブリは、前記複数の携帯型モジュールのうちの１つ以上から外向きに延びる雄端部の基部に設けられたロックスプロケットに可逆的に係合するように構成されている、請求項５に記載の携帯型伸縮モジュール。
【請求項７】
前記ロック用アセンブリは、延長可能かつ格納可能な指標ペグを含む、請求項５又は６に記載の携帯型伸縮モジュール。
【請求項８】
前記レセプタクルには、解除ボタンを有する保持ハーフロックと協働する、スプリングレセプタクルを有する保持ハーフロックを含む保持ロックが設けられている、請求項１〜７のいずれか１項に記載の携帯型伸縮モジュール。
【請求項９】
前記レセプタクルの外側側壁には、それに沿って長手方向に延びる着脱可能に係合可能なハッチが設けられ、それにより、前記ハッチを取り外すことにより、前記円柱形の本体の前記レセプタクルへの側方向の挿入のために前記レセプタクルが開かれ、前記ハッチを再係合することにより、前記円柱形の本体と前記レセプタクルとが確実に係合する、請求項１〜８のいずれか１項に記載の携帯型伸縮モジュール。
【請求項１０】
前記第２の細長い伸縮支持コンポーネント又は前記第３の細長い伸縮支持コンポーネントの前記雄端部のうちの１つは、前記複数の携帯型モジュールのうちの１つ以上のレセプタクルの長手方向軸を中心に回転可能である、請求項１〜９のいずれか１項に記載の携帯型伸縮モジュール。
【請求項１１】
前記第１の前記複数の携帯型モジュールのうちの１つ以上又は前記第３の前記複数の携帯型モジュールのうちの１つ以上の前記雌端部のうちの１つは、前記複数の携帯型モジュールのうちの１つ以上の雄端部の長手方向軸を中心に回転可能である、請求項１〜１０のいずれか１項に記載の携帯型伸縮モジュール。
【請求項１２】
複数の着脱可能に係合された携帯型モジュールを有する構造アセンブリを着脱可能に構成する際に用いられる携帯型伸縮モジュールであって、前記伸縮モジュールは、
第１の端部と反対側の第２の端部とを備えるハウジング要素を含む、細長い伸縮支持コンポーネントを含み、前記第１の端部は、それから外向きに延びる第１の雄端部を有し、前記第２の端部は、ねじ穴のために設けられた、前記ねじ穴とのねじ係合ねじロッドのための、貫通するねじ穴を備える端部プレートを含み、前記ねじロッドは、前記ハウジングの前記第２の端部から外向きに延び、前記ねじロッドは、第２の雄端部に固定されており、
前記雄端部は、前記複数の携帯型モジュールのうちの１つ以上からの雌端部と脱着可能に係合するように構成され、前記雄端部のそれぞれが、円柱形の本体の円周面の周りに少なくとも１つの直線状の突起セットを備える前記円柱形の本体を含み、それぞれの突起セットが、間隔を空けて位置する２つ以上の突起を有し、
前記雌端部は、前記複数の携帯型モジュールのうちの１つ以上からの雄端部を内部に着脱可能に受容して、前記雄端部と係合するように構成されている円柱形のレセプタクルを有する、携帯型伸縮モジュール。
【請求項１３】
前記第１の端部は、それから外向きに延びる雌端部を有し、前記第２の端部は、ねじ穴のために設けられた、前記ねじ穴とのねじ係合ねじロッドのための、貫通するねじ穴を備える端部プレートを含み、前記ねじロッドは、前記ハウジングの前記第２の端部から外向きに延び、前記ねじロッドは、雄端部に固定される、請求項１２に記載の携帯型伸縮モジュール。
【請求項１４】
前記伸縮モジュールは、それから放射状に外向きに延びる１つ以上の脱着可能な雄端部（複数可）を有する、請求項１〜１３のいずれか１項に記載の携帯型伸縮モジュール。
【発明の詳細な説明】
【技術分野】
【０００１】
関連出願の相互参照
本出願は、２０１７年３月２４日にカナダＰＣＴ受理官庁に出願された国際特許出願第ＰＣＴ／ＣＡ２０１７／０５０３７６号に関連し、当該出願は参照により本明細書に組み込まれる。
【０００２】
本開示は、ユーティリティ機器、カート、及び家具の分野に関し、特に、例えば、作業表面、棚ユニット、ラック、ユーティリティカート、機器支持装置、ステージングシステム、ベッドフレームシステムなどの用途のために、様々な組み立ての構成へと取り外し可能に係合させるためのモジュールコンポーネントに関する。
【背景技術】
【０００３】
様々な形態のユーティリティ機器は、すべての業界に不可欠であり、選択された業界の特定のニーズを満たすために、サイズ及び複雑さの点で広範囲にわたる。業界に関係なく、ほとんどのユーティリティ機器は単一の機能を有するように設計されている。その結果、選択された業界の様々なニーズを満たすために、様々なユーティリティ機器が求められる。
【０００４】
多くの作業環境では、高さ調節可能な携帯型機器支持装置、ラック、スタンド、保管庫、棚、カートを使用して、簡単、迅速、安全に昇降させ、アセンブリの近辺で及び／又は下で動き回るスタッフにクリアランスを提供するように、アセンブリのセクションを邪魔にならないように持ち上げた後、アセンブリの上に及びアセンブリから、機器、器具、装置、ハードウェア、コンポーネント、材料、消耗品、商品、衣料品、スポーツ用品、荷物、及びその他のアイテムの位置決め又は移動を可能とする。さらに、異なる高さを有し、異なるタイプの作業タスクを実行する個人の作業面について、人間工学的立位又は座位使用を提供するために、組み立てられた作業面を昇降させることが望ましい場合がある。また、様々な作業設定で様々な高さで、作業タスク又はアクセスが必要な場合に、昇降及びステージングシステムを構成ることもできる。高さ調整可能な多数の機器支持装置、ラック、スタンド、カート、保管システム、棚持ち上げシステム、テーブル持ち上げシステム、ベッド持ち上げシステムは、様々な家庭のニーズに合わせて追加で構成することが可能である。
【発明の概要】
【０００５】
本開示は、一般的に、作業面及び／又は棚システム及び／又はユーティリティカート及び／又は保管システム及び／又はラック及び／又は機器支持装置及び／又はスタンド及び／又はステージングシステム及び／又はベッドフレームシステムを含む、モジュール式アセンブリに着脱可能に係合するように構成される、伸縮モジュールに関する。より具体的には、本開示は、作業現場又は自宅での一時使用目的で頑丈で耐久性のあるユーティリティシステムアセンブリに組み込める、伸縮モジュールに関し、そのアセンブリは、複数のモジュール式構造支持コンポーネントを相互接続し、及び確実に係合させ、所望のユーティリティアセンブリを構成することで、構成及び迅速な組み立てが可能である。ユーティリティシステムアセンブリの必要性が満たされ、作業現場又はその他の場所においてアセンブリが必要でなくなった後に、輸送又は保管のため、まとめて集めることができる個々のモジュール要素へと、迅速かつ容易に分解することが可能である。
【０００６】
本開示の一実施形態は、３種類の伸縮モジュールに関し、第１のタイプは一対の両端にある雌端部を有し、第２のタイプは一対の両端にある雄端部を有し、第３のタイプは雌端部及び両端にある雄端部を有する。第４のタイプは、２つの両端にある雄端部を含み、その間に位置決め可能なねじロッドと保持コンポーネントが伸縮モジュールの雄端部の間の長さを安定的に延ばす。
【０００７】
第２、第３、及び第４のタイプの伸縮モジュール式コンポーネントの雄端部のそれぞれは、円柱形の本体の円周面に間隔を空けて位置する２つ以上の突起からなる１つ以上の直線状の突起セットを有する円柱形の本体を含む。雌端部のそれぞれは、円柱形の本体、及び少なくとも１つの直線状の突起セットを内部に受容するための１つ以上の直線状チャネル、及び／又は突起保持スロットを備えた円柱形のレセプタクルを有する。雌端部は、雄端部と解除可能に係合するためのロック用アセンブリ及び／又は、ファスナが設けられている。本明細書で開示される伸縮モジュールは、国際特許出願第ＰＣＴ／ＣＡ２０１７／０５０３７６号に開示されている様々なタイプのモジュールとの着脱可能な係合に特に適している。
【０００８】
一態様によれば、雄端部の円柱形の本体は、間隔を空けて位置する２つ以上の突起からなる２以上の直線状の突起セットを有し、その直線状のセットは円柱形の本体の円周面の周りに等距離に間隔を空けて位置する。別の態様によれば、雌端部の円柱形のレセプタクルは、２つ以上の突起セットを有する円柱形の本体を内部に受容して係合するための、等距離に間隔を空けて位置する２つ以上の直線状チャネル、及び／又は、突起保持スロットを備えてもよい。
【０００９】
一態様によれば、本明細書で開示される伸縮モジュールは、アクセスのため下げられ、次に持ち上げられて下に追加の保管スペースを提供するか、又は代わりに、他の目的のためにクリアランスを提供し得る、保管ラック及び／又は棚及び／又はカートを構成及び組み立てるために使用されてもよい。
【００１０】
別の態様によれば、本明細書で開示される伸縮モジュールは、脚として使用することができ、あるいは、例えば、カウンター、又は作業台、又は机、又はビジネスワークステーション、又はワークプラットフォーム、又は昇降機などの作業面の脚に組み込んでもよい。テーブル、座席、ベッドフレームなど、高さ調整可能な家具アセンブリも構成してよい。
【００１１】
いくつかの実施形態によれば、本明細書で開示される伸縮モジュールは、様々な機器支持装置、スタンド、ラックなどに組み込むことができる。
【図面の簡単な説明】
【００１２】
本開示のこれら及び他の特徴は、添付の図面を参照する以下の詳細な説明においてより明らかになるであろう。
【００１３】
【図１Ａ】両端にある雌端部を備えた伸縮モジュールの一例の側面図であって、図１Ａは、延長位置において雌端部を備えた伸縮モジュールを示す側面図である。
【図１Ｂ】両端にある雌端部を備えた伸縮モジュールの一例の側面図であって、図１Ｂは、格納位置において雌端部を備える伸縮モジュールの側面図である。
【図２】図１に示す伸縮モジュールのハウジング雌端部の分解斜視図である。
【図３】図１に示す伸縮モジュールの延長具雌端部の共同伸縮アセンブリ、及びシステムの別のモジュール（図示せず）と係合するための、対応する雄型部材フラットマウントアセンブリの分解斜視図である。
【図４Ａ】両端にある雄端部を備えた伸縮モジュールの一例の側面図であって、図４Ａは、延長位置において雄端部を備えた伸縮モジュールを示す側面図である。
【図４Ｂ】両端にある雄端部を備えた伸縮モジュールの一例の側面図であって、図４Ｂは、格納位置において雄端部を備えた伸縮モジュールの側面図である。
【図５】図４に示す伸縮モジュールのハウジング雄端部の分解斜視図である。
【図６】図４に示す伸縮モジュールの延長具雌端部の共同伸縮アセンブリの分解斜視図である。
【図７Ａ】雌端部及び雄端部を備えた伸縮モジュールの一例の側面図であって、図７Ａは、延長位置において雄端部を備えた伸縮モジュールを示す側面図である。
【図７Ｂ】雌端部及び雄端部を備えた伸縮モジュールの一例の側面図であって、図７Ｂは、格納位置において雄端部を備えた伸縮モジュールの側面図である。
【図８Ａ】ねじロッド式伸縮モジュールの例を示しており、図８Ａは全体斜視図である。
【図８Ｂ】ねじロッド式伸縮モジュールの例を示しており、図８Ｂは分解斜視図である。
【図８Ｃ】ねじロッド式伸縮モジュールの例を示しており、図８Ｃは内部に含まれるねじロッド保持コンポーネントの断面図である。
【図９】本開示のいくつかの態様を示す高さ調節可能なカートの一例の部分分解斜視図であり、伸縮モジュールが格納位置にある。
【図１０】図９の高さ調節可能なカートの斜視図であり、伸縮モジュールが延長位置にあることを示している。
【図１１】本開示のいくつかの態様を示す高さ調節可能なワークステーションの一例の部分分解斜視図であり、伸縮モジュールが格納位置にある。
【図１２】図１１の高さ調節可能なワークステーションの斜視図であり、伸縮モジュールが延長位置にあることを示している。
【図１３】本開示のいくつかの態様を示す高さ調節可能なワークプラットフォームの一例の全体斜視図であり、伸縮モジュールが格納位置にある。
【図１４】図１３の高さ調整可能なワークプラットフォームの全体斜視図であり、伸縮モジュールが延長位置にあることを示している。
【図１５】本開示のいくつかの態様を示す図１３及び図１４の高さ調節可能なワークプラットフォームの部分分解斜視図であり、雌端部及び雄端部がモジュールの端部又は円柱形の側面に取り付けられている。
【発明を実施するための形態】
【００１４】
定義
別途定義がない限り、本明細書において用いるすべての技術及び科学用語は、本開示が関係する当業者により一般的に理解されるものと同じ意味を有する。
【００１５】
本明細書で用いられている、用語「約」は、所定の値からおよそ＋／−１０％の偏差を指す。このような偏差は、特に言及されているかどうかにかかわらず、本明細書で提供される任意の所与の値に常に含まれることを理解されたい。
【００１６】
本明細書で用いられている、用語「斜視図」は、より現実的な像及び表現のため、コンポーネント又はモジュール又はアセンブリの高さ、幅、及び奥行きを描く、本明細書で開示されるコンポーネント又はモジュール又はアセンブリの、三次元の図を指す。
【００１７】
本明細書で用いられている、用語「上面図」は、コンポーネント又はモジュール又はアセンブリの上面を直接見下ろす、コンポーネント又はモジュール又はアセンブリの図を指す。
【００１８】
本明細書で用いられている、用語「側面図」は、コンポーネント又はモジュール又はアセンブリの側面を水平方向に直接眺める、コンポーネント又はモジュール又はアセンブリの図を指す。
【００１９】
本明細書で用いられている、用語「底面図」は、コンポーネント又はモジュール又はアセンブリの底面を直接見上げる、コンポーネント又はモジュール又はアセンブリの図を指す。
【００２０】
本明細書で用いられている、用語「トレイモジュール」、又は「トレイアセンブリ」、又は「トレイ底部」は、作業現場又は他の場所の周辺で、機器、所有物、材料、備品などを、搬送するためのユーティリティカートシステムに組み込まれたコンポーネントを指す。あるいは、棚、又はテーブル、又はステージプラットフォームとして、トレイモジュール、又はトレイアセンブリ、又はトレイ底部をモジュール式アセンブリに組み込んでもよい。
【００２１】
本明細書で用いられている、用語「テーブルモジュール」又は「テーブルアセンブリ」、又は「デスクモジュール」又は「デスクアセンブリ」、又は「棚モジュール」又は「棚アセンブリ」は、テーブル、又はワークステーション、又は棚の構成を提供する、コンポーネント又はモジュールアセンブリを指し、あるいは、ステージプラットフォームとして使用してもよい。
【００２２】
本明細書で用いられている、用語「ホイールモジュール」は、転がり機能を提供するために、モジュール式アセンブリに着脱可能に係合させられる固定のあるいは枢動可能なホイールを有するモジュール式アセンブリを意味する。ホイールは、空気入り、中実ゴム、プラスチック、又は発泡体であってよい。
【００２３】
本明細書で用いられている、用語「伸縮モジュール」は、モジュールの直線長の延長及び格納を可能にするための、長さ調整機構を有している２方向の構造的延長を提供する、コンポーネント、又はアセンブリを意味する。
【００２４】
本明細書で用いられている、用語「ねじロッド伸縮モジュール」は、モジュールの直線長の延長及び収縮を可能にするための、長さ調節機構を有する２方向の構造的延長を提供する、コンポーネントを意味する。
【００２５】
本明細書で用いられている、用語「端部キャップモジュール」は、構造支持アセンブリへと組み込むことができる末端ならびに把持機能又はハンドル機能又は足機能又はパッド機能又はバンパー機能又はキャップ機能を提供するための着脱可能な係合機構を有するモジュールの分類を意味する。
【００２６】
本明細書で開示される実施形態は、一般に、国際特許出願第ＰＣＴ／ＣＡ２０１７／０５０３７６号に開示されているモジュールとの着脱可能な係合に使用し、多種多様な構造アセンブリを構成し得る４種類の伸縮モジュールに関する。
【００２７】
本開示の伸縮モジュールの第１の実施形態は、一対の両端にある雌端部を有する伸縮アセンブリを含む。本開示の伸縮モジュールの第２の実施形態は、一対の両端にある雄端部を有する伸縮アセンブリを含む。本開示の伸縮モジュールの第３の実施形態は、一方の端部が雌端部であり、反対側の端部が雄端部である一対の両端にある端部を有する伸縮アセンブリを含む。本開示の伸縮モジュールの第４の実施形態は、係合され一端から外側に延びる雄端部と、そのために設けられたねじロッドとねじ込み式に係合するための貫通するねじ穴を備えた、端部プレートを有するハウジングの反対側の端部と、を備えた、両端にある端部を有するハウジングを含む。ねじロッドの近位端は、ハウジング内に収容され、先端部は、ハウジングから外向きにねじ込み式に延長可能であり、ハウジングにねじ込み式に格納可能である。雄端部は、ねじロッドの先端部と係合している。
【００２８】
第１及び第３のタイプの伸縮モジュールの雌端部は、国際特許出願第ＰＣＴ／ＣＡ２０１７／０５０３７６号に開示されている、様々なモジュール及びコンポーネントに加えて、第２、第３、及び第４のタイプの伸縮モジュールの雄端部と着脱可能に係合するように構成されている。第２、第３、及び第４のタイプの伸縮モジュールの雄端部は、国際特許出願第ＰＣＴ／ＣＡ２０１７／０５０３７６号などに開示されている、様々なモジュール及びコンポーネントの雌端部と着脱可能に係合するようにさらに構成されている。
【００２９】
一態様によれば、雄端部のそれぞれは、円柱形の本体を含むことができ、円柱形の本体の外周面に少なくとも１つの直線状の突起セット、又は間隔を空けて位置する２つ以上の突起セットを備え、それぞれの突起セットは、間隔を空けて位置する２つ以上の突起を有する。いくつかの態様によれば、雄端部のうちのいくつかは、円柱形の本体の外周を巡って間隔を空けて位置する２つの直線状の突起セットを有してもよいし、あるいは円柱形の本体の外周を巡って間隔を空けて位置する３〜１２の突起セットを有してもよい。いくつかの態様によれば、それぞれの突起セットは、間隔を空けて位置する１〜８の突起を有してもよい。いくつかの態様によれば、雄端部のうちのいくつかは、突起を有していなくてもよい。
【００３０】
別の態様によれば、雌端部のそれぞれは、雄型の円柱形の本体を内部に受容して係合するための、円柱形のレセプタクルを有してもよい。雌型のレセプタクルは、雄端部の突起をスライド可能に内部に受容して係合するための、少なくとも１つの直線状チャネル又は突起保持スロットを有してもよい。いくつかの態様によれば、雌端部のうちのいくつかは、円柱形の本体の外周を巡って間隔を空けて位置する２つの直線状の突起セットを有する雄型の円柱形の本体を内部に受容して係合するための、レセプタクルの長さに沿って間隔を空けて位置する２つの直線状チャネル又は突起保持スロットを備えた、レセプタクルを有してもよい。あるいは、雌端部のうちのいくつかは、円柱形の本体の外周を巡って間隔を空けて位置する３〜１２の直線状の突起セットを有する雄型の円柱形の本体をスライド可能に内部に受容して係合するための、間隔を空けて位置する３〜１２の直線状チャネル又は突起保持スロットを備えた、レセプタクルを有してもよい。別の態様によれば、雌端部は、突起を有しない雄端部の雄型円柱形の着脱可能に係合するための、直線状チャネル又は突起保持スロットを有していなくてもよい。別の態様によれば、雌端部のうちのいくつかは、雄端部の１つと着脱可能に係合するための、ロック用アセンブリ及び／又は１つ以上のファスナが設けられていてもよい。
【００３１】
本開示の実施形態の重要な特徴は、モジュールを互いに確実かつ安定に固定するために、本開示の及び／又は国際特許出願第ＰＣＴ／ＣＡ２０１７／０５０３７６号に開示されている伸縮モジュールと他のモジュールとの、迅速、安定、かつ確実な係合を可能化及び容易化する機構に関する。
【００３２】
雌端部５を有する第１のタイプの伸縮モジュールの例が、図１Ａ及び図１Ｂに示されており、伸縮モジュール５は一般に、延長管ハウジング１５の第１の例に含まれる、伸縮アセンブリ１０を含む。油圧、空気圧、及び／又は電動リニアアクチュエータシステムを含む様々なタイプ及びサイズの伸縮システムを伸縮モジュール５で使用してもよいし、遠隔制御、又は制御導管２０を介して制御ボックス２５で直接操作して、伸縮システムを有効又は無効にしてもよい。
【００３３】
特定の実施形態によれば、図３に示されるように、伸縮アセンブリ１０は、延長管端部ガイド３０の非螺刻穴３２を貫通するねじ６０によって、第１の延長管ハウジング１５の一端に固定される延長管端部ガイド３０を含んでもよく、延長管ハウジング１５の内側輪郭上のねじ山形成スロット７０内にねじ込み式に係合する。延長管端部ガイド３０は、延長具３５とスライド可能に協働して、雌端部５を備える伸縮モジュールの全長を延長しかつ格納することができる。
【００３４】
レセプタクル４０が、延長管ハウジング１５の先端部に設けられ、ハウジング雌端部４５を含む。図１Ａは、延長管端部ガイド３０を貫通する、延長管ハウジング１５からの延長の最大長さにある延長具３５を備えた、延長位置にある伸縮モジュール５を示し、図１Ｂは、延長管ハウジング１５に完全に格納される、延長具３５を備えた伸縮モジュール５を示す。延長具３５の先端部には、延長具雌端部５０を含む第２のレセプタクル４０が設けられている。
【００３５】
国際特許出願第ＰＣＴ／ＣＡ２０１７／０５０３７６号に開示されている様々なコンポーネントを参照すると、伸縮モジュールの雌端部は、モジュールの延長管ハウジング内に含まれる「ローテータレセプタクル」又は「接合レセプタクル」又は「側面開口レセプタクル」として構成してもよい。図１〜図３に示すように、雌端部５を備えた伸縮モジュールは、各端部に側面開口レセプタクル４０を含む。図２に示されるハウジング雌端部４５内で、側面開口レセプタクルは、一般に、ナット／導管チャネル８０の内向きの縁部に対して、長管ハウジング１５の先端部の内部へ、側面チャネル７５上をスライド可能な側面開口レセプタクルソケット５５を含み、側面開口レセプタクルは、そのソケット５５の非螺刻穴６５を貫通するねじ６０によって固定され、延長管ハウジング１５の内側輪郭のねじ山形成スロット７０内にねじ込み式に係合される。
【００３６】
国際特許出願第ＰＣＴ／ＣＡ２０１７／０５０３７６号に開示されているように、システムの特定のモジュールは、そのモジュールと、協働レセプタクルを有するシステムの他のモジュールとが、確実に脱着可能な係合するために、雄端部を含んでもよい。かかる雄端部の一例は、側面開口レセプタクルソケット５５内の確実な係合のために対応するモジュール（図示せず）と、係合のために整列する図３に示される、雄型部材フラットマウントアセンブリ８５である。雄型部材フラットマウントアセンブリ８５は、幅広ピボットコンポーネント１００に取り付けられた、突起９５を備えた雄型コンポーネント９０と、フラットマウントピボットロックスプロケット１０５と、を含む（国際特許出願第ＰＣＴ／ＣＡ２０１７／０５０３７６号に開示され、図５及び６を参照して以下でさらに詳細に説明する）。側面開口レセプタクルソケット５５は、協働して形成された雄型部材チャネル１１０と、雄型部材フラットマウントアセンブリ８５などの挿入された雄端部の外輪郭に確実に係合する突起保持スロット１１５（図２に示す）と、を含む。挿入されると、雄型アセンブリ８５は、延長管ハウジング１５のチューブ穴１２５、及び雄型コンポーネント９０の非螺刻穴１３０を貫通するボルト１２０により、側面開口レセプタクル内に固定され、側面開口レセプタクルカバー１３５の近位側部の中央に位置するねじ穴内で、ねじ込み式に係合されてもよく、ボルト１２０が解除されるまで、協働モジュールを共にロックする。
【００３７】
いくつかの実施形態によれば、側面開口レセプタクルソケット５５の外側輪郭は、延長管ハウジング１５内に組み立てられる際に、１つ以上の螺刻挿入部１４０又は六角ナット１４５が固定されるための穴又はスロットを提供してもよく、そのために延長管ハウジング１５に設けられている、１つ以上のサイドマウントボア１５０を通って、ボルト、又はねじにより、雄型部材サイドマウントアセンブリ５６０等のその他のコンポーネント又は追加の雄端部を固定してもよく、それらは、図１５を参照して以下に記載され、又は国際特許出願第ＰＣＴ／ＣＡ２０１７／０５０３７６号に開示されている。追加の雄型部材サイドマウントアセンブリ５６０は、チャネル開口部１５２から伸縮モジュールの制御導管２０によって占有されていないナット／導管チャネル８０、１６４内へと貫通するＴナットと、ねじ込み式に係合するボルトによって個別に固定することもできる。
【００３８】
図３に示すように、伸縮モジュールは、伸縮アセンブリ１０の先端部にレセプタクル４０を備えた延長具雌端部５０を含むことができる。延長具雌端部５０は、ねじ山形成スロット１６３内にねじ込み式に係合する非螺刻穴１６１を貫通するねじ６０によって延長具雌端部アダプタ１６０に固定される延長管ハウジング１５５の第２の例を含む。組み立てられると、アダプタ１６０又はレセプタクルソケット５５のチャネル開口部は、延長管ハウジング１５５の長さに沿って追加の雄端部又は他のコンポーネントとの確実なねじ込み式係合のために提供される、ナット／導管チャネル１６４内部へのＴナットの通過を可能する。これと同じ目的で、「ミドルスクエアナットホルダー」に関連して、国際特許出願第ＰＣＴ／ＣＡ２０１７／０５０３７６号で前述したように、延長管ハウジングは、内部輪郭内で、複数の螺刻挿入穴１６７を含む中央チューブねじ付インサートマウント１６５を固定してもよく、螺刻挿入部１４０が、サイドマウントボア１７０を貫通するボルト又はねじによって、追加の雄型部材サイドマウントアセンブリ又は他のコンポーネント（図示せず）を取り付けるために提供され、対応する螺刻挿入部１４０にねじ込み式に係合することもできる。中央チューブねじ付インサートマウント１６５は、止めねじにより、又はあるいはポリマー接着、又はろう付け、又はクラッシュリブなどの使用により、延長管ハウジング内の所定の位置に確実に固定することができる。
【００３９】
前述のように、伸縮モジュールは、油圧式、空圧式、又は電動リニアアクチュエータシステムを含む様々なタイプ及びサイズの伸縮システムによって機械化できる。いくつかの実施形態によれば、伸縮アセンブリ１０は、延長具３５又は他の伸縮機構がモジュール内で直接又は間接的に係合及び固定され得る伸縮アセンブリマウント１７５を含み得る。延長管ハウジング１５と係合するために整列された図３に示すように、伸縮アセンブリマウント１７５の外側輪郭は、中央チューブねじ付インサートマウント１６５と同様に、内部での確実な取り付けのため、延長管ハウジングの内側輪郭に一致してよく、そこで、伸縮アセンブリマウント１７５の外側輪郭は、取り付け穴１８０と係合する止めねじ（図示せず）によって、例えば、ポリマー接着、ろう付け、又はクラッシュリブなどの使用によって、所定の位置に固定され得る。
【００４０】
第２のタイプの伸縮モジュールの例が、図４Ａ及び４Ｂに示されており、雄端部を備えた伸縮モジュール２００は、一般に、第３の例の延長管ハウジング２１０内に確実に収容される伸縮アセンブリ１０を含み、制御導管２０を介して制御ボックス２５により制御される。伸縮チューブハウジング２１０の先端部において、伸縮モジュール２００は、本明細書又は国際特許出願第ＰＣＴ／ＣＡ２０１７／０５０３７６号に開示されるレセプタクルを有するシステムの別のモジュールと接続するために、一例として、雄型部材フラットマウントアセンブリ８５を備えたハウジング雄端部２１５を含む。延長具３５の先端部において、伸縮モジュール２００は、別のモジュールのレセプタクルに取り付けるための第２の雄型部材フラットマウントアセンブリ８５を備えた延長具雄端部２２０を含む。図４Ａは、延長管端部ガイド３０を貫通する、延長管ハウジング２１０からの延長の最大長さにある延長具３５を備え、延長位置にある、雄端部を有する伸縮モジュール２００を示し、一方図４Ｂは、延長管ハウジング２１０に完全に格納される、延長具３５を備えた伸縮モジュール２００を示す。
【００４１】
図５に示すように、ハウジング雄端部２１５は、ねじ山形成スロット２３０内にねじ込み式に係合する非螺刻穴２２７を貫通するねじ６０によって、延長管ハウジング２１０に固定された雄型フラットマウント端部プレート２２５を含む。組み立てられると、制御導管２０によって別途占有されていないのであれば、雄型フラットマウント端部プレート２２５のチャネル開口部２２８は、延長管ハウジング２１０の長さに沿って追加の雄端部又は他のコンポーネントとの確実なねじ込み式係合のために提供される、ナット／導管チャネル２３５内部へのＴナットの通過を可能する。これと同じ目的で、図３を参照して前述したように、延長管ハウジング２１０は、内部輪郭内で、複数の螺刻挿入穴１６７を含む中央チューブねじ付インサートマウント１６５を固定してもまたよく、螺刻挿入部１４０は、対応する螺刻挿入部１４０にねじ込み式に係合するよう、サイドマウントボア２３６を貫通するボルト又はねじによって、追加の雄型部材サイドマウントアセンブリ又は他のコンポーネント（図示せず）を取り付けるために提供される。
【００４２】
ハウジング雄端部２１５は、前述のように、雄型フラットマウント端部プレート２２５の中央に位置する、中央のねじ穴２４２又は螺刻挿入部と、ねじ込み式に係合するボルト２４０によって、ここでは雄型フラットマウント端部プレート２２５に固定される雄型部材フラットマウントアセンブリ８５も含む。雄型部材フラットマウントアセンブリ８５は、雄型コンポーネント９０の中心を貫通するボルト２４０を使用して組み立てられ、それにより、雄型コンポーネント９０の近位端部で、八角形の凹部２４６（図６）内で係合する幅広ピボットコンポーネント１００と八角形のボス２４５に対して、雄型コンポーネント９０を固定する。次に、幅広ピボットコンポーネント１００は、フラットマウントピボットロックスプロケット１０５と係合し、そこで、フラットマウントピボットロックスプロケット１０５の表面の歯穴２４８に挿入された幅広ピボットコンポーネント１００の底部の歯２４７によって互いに保持される。そのアセンブリ８５は、雄型フラットマウント端部プレート２２５の表面のペグ穴２５５に挿入されたフラットマウントピボットロックスプロケット１０５（図６）の底部のペグ２５２によって、雄型フラットマウント端部プレート２２５の外向き面に対して整列され、その３つのコンポーネントの中心を貫通するボルト２４０で、雄型部材フラットマウントアセンブリ８５は、着脱可能にその端部プレート２２５の固定されることができる。
【００４３】
図６に示すように、雄端部を有する伸縮モジュール２００はまた、延長管ハウジング２１０内から延びる伸縮アセンブリ１０の先端部に延長具雄端部２２０を含む。延長具雄端部アダプタ２７０は、中央のねじ穴２７５へのボルト、又は他の取り付け手段（図示せず）によって、延長具３５に直接又は間接的に固定される。外向きに面する雄型部材フラットマウントアセンブリ８５は、前述のように、その端部アダプタ２７０の中央に位置する、中央のねじ穴２７５又は螺刻挿入部の外向の端部と、ねじ込み式に係合するように、雄型アセンブリコンポーネントの中央の穴を貫通するボルト２４０によって、取り付けられてもよい。
【００４４】
第３のタイプの伸縮モジュールの例として、図７Ａ及び７Ｂが示されており、雌端部及び雄端部を備えた伸縮モジュール２８０は、一般に、第１の延長管ハウジング１５内に確実に収容された伸縮アセンブリ１０を含み、制御導管２０を介して制御ボックス２５により制御される。伸縮チューブハウジング１５の先端部において、伸縮モジュール２８０は、本明細書又は国際特許出願第ＰＣＴ／ＣＡ２０１７／０５０３７６号に開示される雄端部を有するシステムの別のモジュールと接続するために、レセプタクル４０を備えたハウジング雄端部４５を含む。延長具３５の先端部で、伸縮モジュール２８０は、別のモジュールのレセプタクルと契合するための雄型部材フラットマウントアセンブリ８５を備えた延長具雄端部２２０を含む。あるいは、レセプタクル４０は、延長具３５の先端部に設けられてもよく、雄端部アセンブリ８５は、延長管ハウジング１５の先端部に設けられてもよい。図７Ａは、延長管端部ガイド３０を貫通する、延長管ハウジング１５からの延長の最大長さにある延長具３５を備え、延長位置にある、伸縮モジュール２８０を示し、図７Ｂは、延長管ハウジング１５に完全に格納される、延長具３５を備えた伸縮モジュール２８０を示す。
【００４５】
ねじ棒伸縮モジュール３００の例は、図８Ａ、８Ｂ、及び８Ｃ（それぞれ、斜視図、分解斜視図、及び断面図）に示されており、一般に、ねじ山形成スロット３０８と、雄端部アセンブリ８５が取り付けられた雄型フラットマウント端部プレート２２５とねじ込み式に係合するねじ６０により、一端に固定された、延長管ハウジング３０５の第４の例を含む。延長管ハウジング３０５の他端部には、４本のねじ６０を使用して延長管ハウジング３０５の端部に取り付けられている、保持コンポーネント３１０を含む、伸縮アセンブリが取り付けられている。保持プレート３１５は、ねじ３２３でロッド調整コンポーネント３２０の内向き端部に固定されている。ロッド調整コンポーネント３２０の内側部分は、ブッシング３２５によって分離された、保持コンポーネント３１０の中心を貫通する。ロッド調整コンポーネント３２０及び保持プレート３１５は、ねじ山形成スロット３０８でねじ６０により延長管ハウジング３０５内にアセンブリを固定する、保持コンポーネント３１０と、回転可能に係合している。ロッド調整コンポーネント３２０は、ねじロッド３３０とねじ込み式に係合するねじ穴を有している。ねじロッド３３０の閉鎖端部には、ロッド端部ねじ穴３３２が設けられ、ロッド端部ねじ３３５が、ねじ込み式に係合することにより、ロッド調整コンポーネント３２０からの、ねじロッド３３０の過度の延長及び偶発的な分離を防止するストッパーを提供する、ワッシャー３３７を固定する。
【００４６】
ねじロッド３３０の外端部は、より狭い直径の第２のねじ部分３４０を有し、ねじロッド雄型マウントアダプタ３４５が中央のねじ穴でねじ込み式に係合される。ボルト又はねじを使用して、雄型部材フラットマウントアセンブリ８５は、本明細書又は国際特許出願第ＰＣＴ／ＣＡ２０１７／０５０３７６号に開示されるシステムの別のモジュールの雌端部と伸縮アセンブリ３００との係合のため、中央のねじ穴で、そのアダプタ３４５の外向き面と脱着可能に係合する。
【００４７】
オペレータは、ロッド調整コンポーネント３２０を時計回りに回転させて、その雄型マウントアダプタ３４５と雄端部アセンブリ８５とをモジュール３００の他の部分からから遠ざかるように延ばしてもよく、雄端部アセンブリ８５の所望の外への延長が達成されるまで、ねじロッド３３０を外へと進める。オペレータは、ロッド調整コンポーネント３２０を反時計回り方向に回転させることにより、雄端部アセンブリ８５を逆方向に格納させることができる。
【００４８】
図１５を参照して以下に説明する、雄型部材フラットマウントアセンブリ８５、及び雄型部材サイドマウントアセンブリ５６０は、国際特許出願第ＰＣＴ／ＣＡ２０１７／０５０３７６号の図１、４等に示す、ローテータレセプタクル「１１」と回転可能又は係止係合するように構成されることに留意されたい。本雄型部材フラットマウントアセンブリ８５及び雄型部材サイドマウントアセンブリ５６０は、また、国際特許出願第ＰＣＴ／ＣＡ２０１７／０５０３７６号の図６、１７等に示す、接合レセプタクル「２１１」と脱着可能に係合するように構成されることに留意されたい。本雄型部材フラットマウントアセンブリ８５は、また、図１３、１４、１５、１７に示す、４５°サイドマウントブラケットモジュール「３５０」、雄型部材マウントブロックモジュール「３５５」、「３５６」、「３５７」、「３５８」、「３５９」、「３６０」、５°増分の調整可能な雄型部材マウントモジュール「３８０」、雄型マウントスライダーコンポーネント「４５０」だけでなく、国際特許出願第ＰＣＴ／ＣＡ２０１７／０５０３７６号の図２３、２４、２８、及び３０に示す、キャスターホイールモジュー「５６０」、レベリングフットモジュール「５８０」、端部キャップモジュール「６２５」、雄型ドーム端部キャップモジュール「６５０」と、脱着可能に係合するように構成されることを留意されたい。
【００４９】
本明細書で開示される伸縮モジュールの収縮長さは、例えば、６”、１２”、１８”、２４”、３２”、３６”、４２”、４８”、６０”、７２”、８４”、９６”、及びこれらの間であってもよい。本明細書で開示される伸縮モジュールの収縮長さは、例えば、１５ｃｍ、３０ｃｍ、４５ｃｍ、６０ｃｍ、８１ｃｍ、９１ｃｍ、１０６ｃｍ、１２２ｃｍ、１５０ｃｍ、１８０ｃｍ、２１０ｃｍ、２４０ｃｍ、及びこれらの間であってもよい。伸縮モジュールの長さの増加に比例して、現在の伸縮モジュールの幅を調整して、使用中の伸縮モジュールの堅牢性、安定性、及び耐久性を、維持及び保存することが適切である。伸縮モジュールの幅と長さに比例して、雌端部コンポーネントと、雌端部コンポーネントの寸法を調整して、使用中の伸縮モジュールの堅牢性、安定性、耐久性を、維持及び保存することが適切である。
【００５０】
伸縮アセンブリは、制御可能に延長可能かつ格納可能な空気圧シリンダー、又は油圧シリンダー、又は電気モーターによって制御される多段伸縮機構のいずれかを含んでもよいことに留意されたい。このような伸縮アセンブリは、机やワークステーションなどの昇降に使用される「高さ調整可能な」コンポーネントと称される。そのような高さ調整可能なコンポーネントに関する情報は、例えば、ｈｔｔｐ：／／ｗｗｗ．ｈｅｉｇｈｔａｄｊｕｓｔａｂｌｅｄｅｓｋａｄｖｉｃｅ．ｃｏｍ／、及び米国特許第６，５９５，１４４号、同７，９３４，４５９号、同９，００３，９７９号、同６，６５５，４３８号、同９，６５５，４４５号などで確認できる。本明細書で開示される本発明の伸縮モジュールを、既知の高さ調節コンポーネントと区別する主な特徴は、本明細書で開示される雌端部コンポーネントと既知の高さ調節コンポーネントの一端又は両端との統合、及び本明細書で開示される雄端部コンポーネントと既知の高さ調整コンポーネントの一端又は両端との統合である。本明細書で開示される雌端部コンポーネント及び雄端部コンポーネントと統合するための、特に適切な既知の高さ調整コンポーネントは、米国規格協会（ＡＮＳＩ）の下のサブグループである、オフィス家具製造者協会（ＢＩＦＭＡ）によって設定された最低水準を満たし、それを超える高さ調整コンポーネントである。
【００５１】
本明細書で開示される空気圧制御及び油圧制御伸縮モジュールに関するいくつかの例のうち、伸縮の程度及び速度は、オペレータによって、あるいは、延長管ハウジング内に含まれる延長／格納機構付きの制御導管２０を介して通信する制御ボックス２５によって、手動で制御してよいことにも留意されたい。本明細書で開示される電気制御伸縮モジュールのいくつかの例は、オペレータによって、あるいは延長管ハウジング内に含まれる伸縮機構付きの制御導管２０を介して通信する制御ボックス２５によって、あるいは例えば、その延長／格納機構と電気的に組み合わされる伸縮モジュール上の受信機へ遠隔制御ボックスからの信号の無線送信によって、手動で制御してよいことにも留意されたい。
【００５２】
本明細書で開示される伸縮モジュールは、国際特許出願第ＰＣＴ／ＣＡ２０１７／０５０３７６号に開示される様々なモジュールと組み合わせて、作業、オフィス、産業、小売の現場、又は家庭環境において、有用及び丈夫なユーティリティアセンブリを構成することができる。
【００５３】
本明細書で開示される実施形態のより良い理解を得るために、ユーティリティシステムアセンブリ及び支持構造アセンブリの以下の実施例が説明される。
【実施例】
【００５４】
実施例１：高さ調整可能なユーティリティカートアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なローリングユーティリティカートアセンブリの例を、図９及び１０に示す（それぞれの下降位置と上昇位置）。ユーティリティカートアセンブリ３５０は、４つの３６０°旋回可能なキャスターホイールモジュール４００上で、ユーティリティカートを任意の方向に押したり引いたりすることにより移動でき、作業現場又は他の場所の周辺で、機器、所有物、材料、備品などを搬送するための、下部オープントレイアセンブリと上部ボックストレイアセンブリを提供する。あるいは、ホイールモジュールの代わりに、国際特許出願第ＰＣＴ／ＣＡ２０１７／０５０３７６号の図２４、２５、及び３３に示されている、フットモジュール「５８０」、「５８５」、「５９０」又は端部キャップコンポーネント「６８０」などの、スタンディングシェルフ及びストレージアセンブリ用のベースにシステムの他のモジュールを備えた、同様のアセンブリを構成することができる。
【００５５】
本実施例では、雌端部５を備えた４つの伸縮モジュールが、ユーティリティカートアセンブリ３５０の高さ調整可能フレームを形成している。２つのトレイアセンブリは、これらのコーナーの伸縮モジュール５から固定されており、それぞれが、４つのコーナー全てに角開口部３６０を備えたトレイ底部３５５の第１の例を有して、４つの伸縮モジュール５は、カラー３７０で整列され内部で固定されることができる。図９で示されているように、それぞれの伸縮モジュール５は、まず、サイドマウントボア内部へのねじ３７５によって、及びナット／導管チャネル内部へのＴナット３８０を備えたねじ３７５によって、２つのカラー３７０と係合しており、それらは、それぞれの所望のトレイ底部取り付け位置の真下の伸縮モジュール５の長さ上に固定される。トレイ底部３５５の下から開口部３６０の内部へと、カラー３７０を備えたモジュール５を挿入し、カラー３７０の上面にねじ穴にねじ込み式で係合するよう、カラーねじ穴３６５を貫通するねじ３７５でトレイ底部３５５に固定することができる。
【００５６】
上部トレイアセンブリで示されているように、最大４つのサイドパネル３８５、３８８を、トレイ底部３５５の側端部と、それに取り付けられたカラー３７０の側面と、にあるサイドパネルねじ穴３９５に、ねじ込み式で係合されたねじ３７５により固定できる。サイドパネル３８５、３８８の安定性を高めるために、４つのカラー３７０の追加セットを、伸縮モジュール５に固定することができ、サイドパネルの上部コーナーの穴が整列し、ねじ３７５が側面の穴とねじ込み式で係合でき、それによりカラー３７０がトレイアセンブリのさらなる補強を提供する。
【００５７】
ユーティリティカートアセンブリ３５０の４つのコーナーのそれぞれにおいて、キャスターホイールモジュール４００は、各伸縮モジュール５の底端部レセプタクル内でその雄型部材フラットマウントアセンブリ８５により着脱可能に係合され、ユーティリティカートの回転運動を可能としている。本実施例では、キャスターホイールモジュール４００は、マウントコンポーネント４０５の上面に固定された雄型部材フラットマウントアセンブリ８５を含む。雄型部材フラットマウントアセンブリ８５は、まず、マウントコンポーネントの上面におけるペグ穴４１０に挿入されたフラットマウントピボットロックスプロケット（図６）底部のペグ２５２によって、マウントコンポーネント４０５の上面に対して整列され、３つのコンポーネントの中心を貫通し、マウントコンポーネント４０５の中心にある中央のねじ穴４１５又は螺刻挿入部とねじ込み式で係合するボルトによって、雄型部材フラットマウントアセンブリ８５は、脱着可能に固定される。キャスターホイール４２０は、取り付けねじ、又はマウントコンポーネント４０５の下面のその他の取り付け手段により、マウントコンポーネント４０５と回転可能に係合している。
【００５８】
本実施例では、上部トレイアセンブリの高さは、制御コンジット２０を介して伸縮モジュールに送信される制御ボックス２５の操作により、延長可能かつ格納可能な伸縮モジュール５で上下させることができる。
【００５９】
所望であれば、１つ以上の追加のトレイアセンブリは、本明細書及び国際特許出願第ＰＣＴ／ＣＡ２０１７／０５０３７６号に開示されるように、延長管端部ガイド３０の上の伸縮モジュール５の長さの上の上部トレイアセンブリより下の、又は延長管ハウジングモジュールの追加の長さの上の伸縮モジュール５より上にある（図示せず）、ユーティリティカートアセンブリ３５０に含まれ、４つの上部レセプタクル４０内に固定される雄端部を有してもよいことを留意されたい。追加のトレイアセンブリを上部トレイ底部３５５の上の追加モジュールに配置し、ユーザーが隣接するトレイ底部の間隔を制御可能に変更したい場合、４つの伸縮モジュール２００又は２８０のセットを利用可能なレセプタクル４０でアセンブリに組み込むことができる。この場合、４つの伸縮モジュール２００又は２８０の各セットの延長／格納であれば、モジュールのそれぞれのセット用の別個の制御ボックスで個別に制御可能であろう。
【００６０】
実施例２：高さ調整可能なワークステーションアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なワークステーションアセンブリ４５０の例を、図１１及び１２に示す（それぞれの下降位置と上昇位置）。
【００６１】
本実施例は、長方形の卓上４５５、及び卓上４５５の上に位置する長方形の棚４６０を含む。取り付けプレート凹部４７０は、卓上４５５の上面に設けられており、２つの円形取り付けプレート４７５は、ねじ穴４７８又は卓上４５５の表面に取り付ける他の手段を介して、プレートねじ４８０によって固定され得る。さらに、２つの円形取り付けプレート４７５は、棚４６０の底面の２つの取り付けプレート凹部（図示せず）内に固定される。４つの雄型部材フラットマウントアセンブリ８５のそれぞれは、各取り付けプレート４７５の中央のねじ穴４７７とねじ込み式に係合するボルトにより、取り付けプレート４７５と確実に係合する。チューブ穴４６７及びサイドマウントボア４６８を備えた延長管ハウジング４６６の第５の例を含む、二重レセプタクルの側面開口モジュール４６５に関する第１の例の２つの低端部は、次いで、卓上４５５の上面に固定され、上向きに延びる雄型部材フラットマウントアセンブリ８５と係合し、チューブ穴４６７を貫通するボルト１２０、及び側面開口レセプタクルカバー１３５の近位側部にある、ねじ穴又は螺刻挿入部（図示せず）と、内部でねじ込み式に係合するよう雄型コンポーネントによって所定位置に固定される。同様に、二重レセプタクルの側面開口モジュール４６５の上端部は、棚４６０の底部に固定された下向きに延びる雄型部材フラットマウントアセンブリ８５と係合し、側面開口レセプタクルカバー１３５とねじ込み式に係合されたボルト１２０によって、所定位置に固定される。
【００６２】
取り付けプレートは、形状が円形又は長円形又は三角形又は正方形又は長方形又は台形又は六角形又は八角形であってもよく、様々な数のねじ穴４７８又は表面とのその他の取り付け手段を提供できることに留意されたい。卓上４５５の底面には、卓上４５５の各角の近くに４つの三角形の取り付けプレート凹部（図示せず）が設けられている。各凹部は、穴又は他の取り付け手段を介してプレートねじ４８０により卓上４５５の底面に固定された三角形の取り付けプレート４８５を内部で受容するように構成されている。４つの雄型部材フラットマウントアセンブリ８５は、各取り付けプレートの中央のねじ穴とねじ込み式に係合するボルトによって、三角形の取り付けプレート４８５とそれぞれ確実に係合する。雌端部及び雄端部２８０を有する４つの伸縮モジュールはそれぞれ、ボルト１２０及び側面開口レセプタクルカバー１３５によって、雄型部材フラットマウントアセンブリ８５に上に確実に取り付けられ、それにより、ステーションアセンブリ４５０の作業の高さ調節可能な脚コンポーネントを提供する。伸縮モジュール２８０の底部雄型部材フラットマウントアセンブリ８５は、本実施例では、ねじ４９２によってモジュールの延長具雄端部アダプタ２７０に固定された４つの端部キャップ４９０によって取り外されて交換され、それにより脚コンポーネントを提供する。本実施例では、制御導管２０を介して伸縮モジュールに送信される制御ボックス２５の操作により、延長可能かつ格納可能な伸縮モジュール２８０上で机上面の高さを上下させることができる。
【００６３】
同様に、回転ワークステーションアセンブリは、例えば端部キャップ４９０又は他のフットモジュールの代わりに、キャスターホイールモジュール４００を含めることで、アセンブリに構成されてもよく、レセプタクル付き伸縮モジュール又はレセプタクル付き追加モジュールは、下端部に設けられる。
【００６４】
より大きな棚又は２つの小さな棚が、同様のアセンブリに設けられている場合、２つの追加の取り付けプレート凹部４７０は、円形の取り付けプレート４７５と、雄型部材フラットマウントアセンブリ８５と、追加のモジュールとをその上に取り付けるために、卓上４５５の後方コーナーに設けられる。使用されていないとき、審美的な目的のために、凹部４７０は、凹部を閉じるために設けられている卓上凹部キャップ４９５を、挿入している場合がある。
【００６５】
卓上、又はテーブルトップ、又は棚又は類似のアセンブリのステージングは、正方形、長方形、台形、三角形、五角形、六角形、七角形、八角形、十角形、円形、インゲン豆形、波形、また、対称及び非対称曲直線状の他の形態を有してもよい。これらのモジュール式センブリには４つの脚が備わっているのが最も一般的だが、三角形の上面に３本の脚、たとえば又は、様々なモジュール式構成を組み立てるために、上面の両側に２本のＡフレーム脚、又は単一の重み付きあるいは足が広げられた中央脚を設けることは、任意である。
【００６６】
実施例３：高さ調整可能なプラットフォームアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なプラットフォームアセンブリ５００の例を、図１３、１４、１５に示す（それぞれ、下降図、上昇図、分解図）。
【００６７】
本実施例は、実施例２を参照して上述したように、雄端部アセンブリ８５及び取り付けプレート４７５、４８５により、雌端部５を有する６つの伸縮モジュールの上端部のレセプタクル４０に取り付けられた長方形プラットフォーム５０５を含む。プラットフォーム５０５に強度及び剛性を加えるために、プラットフォーム補強具５１０は、ネジ、及び／又は接着剤、及び／又は他の取り付け手段を使用して、プラットフォームの下側の対応する凹部に挿入し、固定することができる。
【００６８】
実施例１を参照して上述したように、トレイ底部５１５の第２の例と、サイドパネル５４０及び５４５の第３及び第４の例は、６つの伸縮モジュール５の上昇可能な延長管ハウジングの下端部で複数対のカラー３７０に固定され、それにより対応するカラー３７０の上側にある、カラーねじ穴５３５を貫通し、ねじ穴とねじ込み式に係合するねじを使用して、トレイ底部５１５の外周に沿ってあるコーナー開口部内５２５及び中間開口部内に５３０に固定される。トレイ底部５２０の第３の例は、上記と同じ手段により、６つの伸縮モジュール５の底部延長具雌端部に固定されたカラー３７０に取り付けられて示されている。
【００６９】
アセンブリ全体の強度と剛性を高めるために、図示のように、又は他と同様の配置で、ブレーシングモジュールをアセンブリに組み込むこともできる。本実施例において、アセンブリの２つの短辺を形成する３つの伸縮モジュール５のセットは、４つの第２の二重レセプタクルの側面開口モジュール５５５によって、補強され、２つの雄型部材サイドマウントアセンブリ５６０の例と脱着可能に係合するそれぞれのセットは、前述されている雄型コンポーネント９０と幅広ピボットコンポーネント１００を有しており、フラットマウントピボットロックスプロケット１０５は、延長管ハウジング、又は選択的には、サイドマウントボアと対応する螺刻挿入部のナット／導管チャネル内部で保持するＴナットと、ねじ式に係合するボルト又はねじを使用して、延長管ハウジングの円柱形の側面に雄型アセンブリ５６０を取り付け可能とする、凹状ピボットロックスプロケット５６５と取り換えられる。さらなる補強のために、フレームコーナーブレース５７０は、交差する側面開口モジュール５５５及び伸縮モジュール５のナット／導管チャネルに保持されたＴナット３８０と、係合するネジ５７５によって固定される。
【００７０】
プラットフォームアセンブリ５００の構造的一体性をさらに高めるために、ブラケットマウントプレート５９５とその上に雄型アセンブリ８５が設けられている雄型マウントスペーサプレート６００とをねじ５７５でその上で固定した、プレートウェッジ５９０の例と、ボルト１２０を使用して係合するマルチアングル雄型部材マウントブラケット５８５の例を含む、コンポーネントのサブアセンブリによって、伸縮モジュール５に固定される、雄型部材フラットマウントアセンブリ８５のコーナーにある、伸縮モジュール５のそれぞれと脱着可能に係合する２つの第３の二重レセプタクルの側面開口モジュール５８０によって、アセンブリの長辺は、補強される。選択的に、図示のように、対角線ブレーシングは、ねじ５７５とＴナット３８０により対応のナット／導管チャネルに固定される脱着可能に係合された雄型部材フラットマウントアセンブリ８５を備えた、４５°オフセットサイドマウント雄型ブラケット６１０の例のうちの２つによって、それぞれ支持される４つの第４の例の二重レセプタクルの側面開口モジュール６０５を使用して、このアセンブリ５００内に設けられてもよい。
【００７１】
プラットフォームアセンブリ５００の４つのコーナーそれぞれにおいて、キャスターホイールモジュール４００は、各伸縮モジュール５の底端部レセプタクル内で、雄型部材フラットマウントアセンブリ８５に脱着可能に係合し、プラットフォームアセンブリ５００の回転運動を可能にする。延長具雄端部アダプタ２７０を備えた伸縮モジュール又は雄型フラットマウント端部プレート２２５を備えた追加モジュールが、底端部に設けられている場合、アセンブリのホイールモジュールの代わりに、端部キャップ４９０、例えばまた、他のフットモジュールを含めることによって、同様の静的アセンブリは、構成される。
【００７２】
本実施例では、プラットフォームと中間トレイの底部５１５の高さは、制御導管２０を介して伸縮モジュールに送信される制御ボックス２５の操作により、延長可能かつ格納可能な伸縮モジュール５上で上下させることができる。実施例３と同様のアセンブリは、高さ調節可能なベッドフレームシステムなどにも構成されてもよい。
【符号の説明】
【００７３】
５−雌端部を備えた伸縮モジュール（図１〜図３）
１０−伸縮アセンブリ
１５−第１の延長管ハウジング
２０−制御導管
２５−制御ボックス
３０−延長管端部ガイド
３２−非螺刻穴
３５−延長具
４０−レセプタクル
４５−ハウジング雌端部
５０−延長具雌端部
５５−側面開口レセプタクルソケット
６０−ねじ
６５−非螺刻穴
７０−ねじ山形成スロット
７５−側面チャネル
８０−ナット／導管チャネル
８５−雄型部材フラットマウントアセンブリ
９０−雄型コンポーネント
９５−突起
１００−幅広ピボットコンポーネント
１０５−フラットマウントピボットロックスプロケット
１１０−雄型部材チャネル
１１５−突起保持スロット
１２０−ボルト
１２５−チューブ穴
１３０−非螺刻穴
１３５−側面開口レセプタクルカバー
１４０−螺刻挿入部
１４５−六角ナット
１５０−サイドマウントボア
１５２−チャネル開口部
１５５−第２の延長管ハウジング
１６０−延長具雌端部アダプタ
１６１−非螺刻穴
１６３−ねじ山形成スロット
１６４−ナット／導管チャネル
１６５−中央チューブねじ付インサートマウント
１６７−螺刻挿入穴
１７０−サイドマウントボア
１７５−伸縮アセンブリマウント
１８０−取り付け穴
２００−雄端部を有する延長管端部ガイド（図４〜６）
２１０−第３の延長管ハウジング
２１５−ハウジング雄端部
２２０−延長雄端部
２２５−雄型フラットマウント端部プレート
２２７−非螺刻穴
２２８−チャネル開口部
２３０−ねじ山形成スロット
２３５−ナット／導管チャネル
２３６−サイドマウントボア
２４０−ボルト
２４２−中央のねじ穴
２４５−八角形のボス
２４６−八角形の凹部
２４７−歯
２４８−歯穴
２５２−ペグ
２５５−ペグ穴
２７０−延長具雄端部アダプタ
２７５−中央のねじ穴
２８０−雌端部及び雄端部を備えた伸縮モジュール（図７）
３００−ねじロッド伸縮モジュール（図８）
３０５−第４の延長管ハウジング
３０８−ねじ山形成スロット
３１０−保持コンポーネント
３１５−保持プレート
３２０−ロッド調整コンポーネント
３２３−ねじ
３２５−ブッシング
３３０−ねじロッド
３３２−ロッド端部ねじ穴
３３５−ロッド端部ねじ
３３７−ワッシャー
３４０−第２のねじ部分
３４５−ねじロッド雄型マウントアダプタ
３５０−高さ調整可能なユーティリティカートアセンブリ（図９、１０）
３５５−第１のトレイ底部
３６０−角開口部
３６５−カラーのねじ穴
３７０−カラー
３７５−ねじ
３８０−Ｔナット
３８５−第１のサイドパネル
３８８−第２のサイドパネル
３９５−サイドパネルのねじ穴
４００−キャスターホイールモジュール
４０５−マウントコンポーネント
４１０−ペグ穴
４１５−中央のねじ穴
４２０−キャスターホイール
４５０−高さ調整可能なワークステーションアセンブリ（図１１、１２）
４５５−卓上
４６０−棚
４６５−第１の二重レセプタクルの側面開口モジュール
４６６−第５の延長管ハウジング
４６７−チューブ穴
４６８−サイドマウントボア
４７０−取り付けプレート凹部
４７５−円形取り付けプレート
４７７−中央のねじ穴
４７８−ねじ穴
４８０−プレートねじ
４８５−三角形の取り付けプレート
４９０−端部キャップ
４９２−端部キャップねじ
４９５−卓上凹部キャップ
５００−高さ調整可能なプラットフォームアセンブリ（図１３〜１５）
５０５−プラットフォーム
５１０−プラットフォーム補強具
５１５−第２のトレイ底部
５２０−第３のトレイ底部
５２５−コーナー開口部
５３０−中間開口部
５３５−カラーのねじ穴
５４０−第３のサイドパネル
５４５−第４のサイドパネル
５５５−第２の二重レセプタクルの側面開口モジュール
５６０−雄型部材サイドマウントアセンブリ
５６５−凹状ピボットロックスプロケット
５７０−フレームコーナーブレース
５７５−ねじ
５８０−第３の二重レセプタクルの側面開口モジュール
５８５−マルチアングル雄型部材マウントブラケット
５９０−プレートウェッジ
５９５−ブラケットマウントプレート
６００−雄型マウントスペーサプレート
６０５−第４の二重レセプタクルの側面開口モジュール
６１０−４５°オフセットサイドマウント雄型ブラケット
【図１Ａ】
2020534488.tif 000003
【図１Ｂ】
2020534488.tif 000004
【図２】
2020534488.tif 000005
【図３】
2020534488.tif 000006
【図４Ａ】
2020534488.tif 000007
【図４Ｂ】
2020534488.tif 000008
【図５】
2020534488.tif 000009
【図６】
2020534488.tif 000010
【図７Ａ】
2020534488.tif 000011
【図７Ｂ】
2020534488.tif 000012
【図８Ａ】
2020534488.tif 000013
【図８Ｂ】
2020534488.tif 000014
【図８Ｃ】
2020534488.tif 000015
【図９】
2020534488.tif 000016
【図１０】
2020534488.tif 000017
【図１１】
2020534488.tif 000018
【図１２】
2020534488.tif 000019
【図１３】
2020534488.tif 000020
【図１４】
2020534488.tif 000021
【図１５】
2020534488.tif 000022
【手続補正書】
【提出日】令和1年7月29日(2019.7.29)
【手続補正１】
【補正対象書類名】明細書
【補正対象項目名】全文
【補正方法】変更
【補正の内容】
【発明の詳細な説明】
【技術分野】
【０００１】
関連出願の相互参照
本出願は、２０１７年３月２４日にカナダＰＣＴ受理官庁に出願された国際特許出願第ＰＣＴ／ＣＡ２０１７／０５０３７６号に関連し、当該出願は参照により本明細書に組み込まれる。
【０００２】
本開示は、ユーティリティ機器、カート、及び家具の分野に関し、特に、例えば、作業表面、棚ユニット、ラック、ユーティリティカート、機器支持装置、ステージングシステム、ベッドフレームシステムなどの用途のために、様々な組み立ての構成へと取り外し可能に係合させるためのモジュールコンポーネントに関する。
【背景技術】
【０００３】
様々な形態のユーティリティ機器は、すべての業界に不可欠であり、選択された業界の特定のニーズを満たすために、サイズ及び複雑さの点で広範囲にわたる。業界に関係なく、ほとんどのユーティリティ機器は単一の機能を有するように設計されている。その結果、選択された業界の様々なニーズを満たすために、様々なユーティリティ機器が求められる。
【０００４】
多くの作業環境では、高さ調節可能な携帯型機器支持装置、ラック、スタンド、保管庫、棚、カートを使用して、簡単、迅速、安全に昇降させ、アセンブリの近辺で及び／又は下で動き回るスタッフにクリアランスを提供するように、アセンブリのセクションを邪魔にならないように持ち上げた後、アセンブリの上に及びアセンブリから、機器、器具、装置、ハードウェア、コンポーネント、材料、消耗品、商品、衣料品、スポーツ用品、荷物、及びその他のアイテムの位置決め又は移動を可能とする。さらに、異なる高さを有し、異なるタイプの作業タスクを実行する個人の作業面について、人間工学的立位又は座位使用を提供するために、組み立てられた作業面を昇降させることが望ましい場合がある。また、様々な作業設定で様々な高さで、作業タスク又はアクセスが必要な場合に、昇降及びステージングシステムを構成ることもできる。高さ調整可能な多数の機器支持装置、ラック、スタンド、カート、保管システム、棚持ち上げシステム、テーブル持ち上げシステム、ベッド持ち上げシステムは、様々な家庭のニーズに合わせて追加で構成することが可能である。
【発明の概要】
【０００５】
本開示は、一般的に、作業面及び／又は棚システム及び／又はユーティリティカート及び／又は保管システム及び／又はラック及び／又は機器支持装置及び／又はスタンド及び／又はステージングシステム及び／又はベッドフレームシステムを含む、モジュール式アセンブリに着脱可能に係合するように構成される、伸縮モジュールに関する。より具体的には、本開示は、作業現場又は自宅での一時使用目的で頑丈で耐久性のあるユーティリティシステムアセンブリに組み込める、伸縮モジュールに関し、そのアセンブリは、複数のモジュール式構造支持コンポーネントを相互接続し、及び確実に係合させ、所望のユーティリティアセンブリを構成することで、構成及び迅速な組み立てが可能である。ユーティリティシステムアセンブリの必要性が満たされ、作業現場又はその他の場所においてアセンブリが必要でなくなった後に、輸送又は保管のため、まとめて集めることができる個々のモジュール要素へと、迅速かつ容易に分解することが可能である。
【０００６】
本開示の一実施形態は、３種類の伸縮モジュールに関し、第１のタイプは一対の両端にある雌端部を有し、第２のタイプは一対の両端にある雄端部を有し、第３のタイプは雌端部及び両端にある雄端部を有する。第４のタイプは、２つの両端にある雄端部を含み、その間に位置決め可能なねじロッドと保持コンポーネントが伸縮モジュールの雄端部の間の長さを安定的に延ばす。
【０００７】
第２、第３、及び第４のタイプの伸縮モジュール式コンポーネントの雄端部のそれぞれは、円柱形の本体の円周面に間隔を空けて位置する２つ以上の突起からなる１つ以上の直線状の突起セットを有する円柱形の本体を含む。雌端部のそれぞれは、円柱形の本体、及び少なくとも１つの直線状の突起セットを内部に受容するための１つ以上の直線状チャネル、及び／又は突起保持スロットを備えた円柱形のレセプタクルを有する。雌端部は、雄端部と解除可能に係合するためのロック用アセンブリ及び／又は、ファスナが設けられている。本明細書で開示される伸縮モジュールは、国際特許出願第ＰＣＴ／ＣＡ２０１７／０５０３７６号に開示されている様々なタイプのモジュールとの着脱可能な係合に特に適している。
【０００８】
一態様によれば、雄端部の円柱形の本体は、間隔を空けて位置する２つ以上の突起からなる２以上の直線状の突起セットを有し、その直線状のセットは円柱形の本体の円周面の周りに等距離に間隔を空けて位置する。別の態様によれば、雌端部の円柱形のレセプタクルは、２つ以上の突起セットを有する円柱形の本体を内部に受容して係合するための、等距離に間隔を空けて位置する２つ以上の直線状チャネル、及び／又は、突起保持スロットを備えてもよい。
【０００９】
一態様によれば、本明細書で開示される伸縮モジュールは、アクセスのため下げられ、次に持ち上げられて下に追加の保管スペースを提供するか、又は代わりに、他の目的のためにクリアランスを提供し得る、保管ラック及び／又は棚及び／又はカートを構成及び組み立てるために使用されてもよい。
【００１０】
別の態様によれば、本明細書で開示される伸縮モジュールは、脚として使用することができ、あるいは、例えば、カウンター、又は作業台、又は机、又はビジネスワークステーション、又はワークプラットフォーム、又は昇降機などの作業面の脚に組み込んでもよい。テーブル、座席、ベッドフレームなど、高さ調整可能な家具アセンブリも構成してよい。
【００１１】
いくつかの実施形態によれば、本明細書で開示される伸縮モジュールは、様々な機器支持装置、スタンド、ラックなどに組み込むことができる。
【図面の簡単な説明】
【００１２】
本開示のこれら及び他の特徴は、添付の図面を参照する以下の詳細な説明においてより明らかになるであろう。
【００１３】
【図１Ａ】両端にある雌端部を備えた伸縮モジュールの一例の側面図であって、図１Ａは、延長位置において雌端部を備えた伸縮モジュールを示す側面図である。
【図１Ｂ】両端にある雌端部を備えた伸縮モジュールの一例の側面図であって、図１Ｂは、格納位置において雌端部を備える伸縮モジュールの側面図である。
【図２】図１に示す伸縮モジュールのハウジング雌端部の分解斜視図である。
【図３】図１に示す伸縮モジュールの延長具雌端部の共同伸縮アセンブリ、及びシステムの別のモジュール（図示せず）と係合するための、対応する雄型部材フラットマウントアセンブリの分解斜視図である。
【図４Ａ】両端にある雄端部を備えた伸縮モジュールの一例の側面図であって、図４Ａは、延長位置において雄端部を備えた伸縮モジュールを示す側面図である。
【図４Ｂ】両端にある雄端部を備えた伸縮モジュールの一例の側面図であって、図４Ｂは、格納位置において雄端部を備えた伸縮モジュールの側面図である。
【図５】図４に示す伸縮モジュールのハウジング雄端部の分解斜視図である。
【図６】図４に示す伸縮モジュールの延長具雌端部の共同伸縮アセンブリの分解斜視図である。
【図７Ａ】雌端部及び雄端部を備えた伸縮モジュールの一例の側面図であって、図７Ａは、延長位置において雄端部を備えた伸縮モジュールを示す側面図である。
【図７Ｂ】雌端部及び雄端部を備えた伸縮モジュールの一例の側面図であって、図７Ｂは、格納位置において雄端部を備えた伸縮モジュールの側面図である。
【図８Ａ】ねじロッド式伸縮モジュールの例を示しており、図８Ａは全体斜視図である。
【図８Ｂ】ねじロッド式伸縮モジュールの例を示しており、図８Ｂは分解斜視図である。
【図８Ｃ】ねじロッド式伸縮モジュールの例を示しており、図８Ｃは内部に含まれるねじロッド保持コンポーネントの断面図である。
【図９】本開示のいくつかの態様を示す高さ調節可能なカートの一例の部分分解斜視図であり、伸縮モジュールが格納位置にある。
【図１０】図９の高さ調節可能なカートの斜視図であり、伸縮モジュールが延長位置にあることを示している。
【図１１】本開示のいくつかの態様を示す高さ調節可能なワークステーションの一例の部分分解斜視図であり、伸縮モジュールが格納位置にある。
【図１２】図１１の高さ調節可能なワークステーションの斜視図であり、伸縮モジュールが延長位置にあることを示している。
【図１３】本開示のいくつかの態様を示す高さ調節可能なワークプラットフォームの一例の全体斜視図であり、伸縮モジュールが格納位置にある。
【図１４】図１３の高さ調整可能なワークプラットフォームの全体斜視図であり、伸縮モジュールが延長位置にあることを示している。
【図１５】本開示のいくつかの態様を示す図１３及び図１４の高さ調節可能なワークプラットフォームの部分分解斜視図であり、雌端部及び雄端部がモジュールの端部又は円柱形の側面に取り付けられている。
【図１６】本開示のいくつかの態様を示す側面開口モジュール及び対応する雄部材アセンブリの例の部分分解斜視図であり、側面開口モジュールは、そのくぼみに雄部材アセンブリの整列及び挿入のための狭い端部を含む。
【発明を実施するための形態】
【００１４】
定義
別途定義がない限り、本明細書において用いるすべての技術及び科学用語は、本開示が関係する当業者により一般的に理解されるものと同じ意味を有する。
【００１５】
本明細書で用いられている、用語「約」は、所定の値からおよそ＋／−１０％の偏差を指す。このような偏差は、特に言及されているかどうかにかかわらず、本明細書で提供される任意の所与の値に常に含まれることを理解されたい。
【００１６】
本明細書で用いられている、用語「斜視図」は、より現実的な像及び表現のため、コンポーネント又はモジュール又はアセンブリの高さ、幅、及び奥行きを描く、本明細書で開示されるコンポーネント又はモジュール又はアセンブリの、三次元の図を指す。
【００１７】
本明細書で用いられている、用語「上面図」は、コンポーネント又はモジュール又はアセンブリの上面を直接見下ろす、コンポーネント又はモジュール又はアセンブリの図を指す。
【００１８】
本明細書で用いられている、用語「側面図」は、コンポーネント又はモジュール又はアセンブリの側面を水平方向に直接眺める、コンポーネント又はモジュール又はアセンブリの図を指す。
【００１９】
本明細書で用いられている、用語「底面図」は、コンポーネント又はモジュール又はアセンブリの底面を直接見上げる、コンポーネント又はモジュール又はアセンブリの図を指す。
【００２０】
本明細書で用いられている、用語「トレイモジュール」、又は「トレイアセンブリ」、又は「トレイ底部」は、作業現場又は他の場所の周辺で、機器、所有物、材料、備品などを、搬送するためのユーティリティカートシステムに組み込まれたコンポーネントを指す。あるいは、棚、又はテーブル、又はステージプラットフォームとして、トレイモジュール、又はトレイアセンブリ、又はトレイ底部をモジュール式アセンブリに組み込んでもよい。
【００２１】
本明細書で用いられている、用語「テーブルモジュール」又は「テーブルアセンブリ」、又は「デスクモジュール」又は「デスクアセンブリ」、又は「棚モジュール」又は「棚アセンブリ」は、テーブル、又はワークステーション、又は棚の構成を提供する、コンポーネント又はモジュールアセンブリを指し、あるいは、ステージプラットフォームとして使用してもよい。
【００２２】
本明細書で用いられている、用語「ホイールモジュール」は、転がり機能を提供するために、モジュール式アセンブリに着脱可能に係合させられる固定のあるいは枢動可能なホイールを有するモジュール式アセンブリを意味する。ホイールは、空気入り、中実ゴム、プラスチック、又は発泡体であってよい。
【００２３】
本明細書で用いられている、用語「伸縮モジュール」は、モジュールの直線長の延長及び格納を可能にするための、長さ調整機構を有している２方向の構造的延長を提供する、コンポーネント、又はアセンブリを意味する。
【００２４】
本明細書で用いられている、用語「ねじロッド伸縮モジュール」は、モジュールの直線長の延長及び収縮を可能にするための、長さ調節機構を有する２方向の構造的延長を提供する、コンポーネントを意味する。
【００２５】
本明細書で用いられている、用語「端部キャップモジュール」は、構造支持アセンブリへと組み込むことができる末端ならびに把持機能又はハンドル機能又は足機能又はパッド機能又はバンパー機能又はキャップ機能を提供するための着脱可能な係合機構を有するモジュールの分類を意味する。
【００２６】
本明細書で開示される実施形態は、一般に、国際特許出願第ＰＣＴ／ＣＡ２０１７／０５０３７６号に開示されているモジュールとの着脱可能な係合に使用し、多種多様な構造アセンブリを構成し得る４種類の伸縮モジュールに関する。
【００２７】
本開示の伸縮モジュールの第１の実施形態は、一対の両端にある雌端部を有する伸縮アセンブリを含む。本開示の伸縮モジュールの第２の実施形態は、一対の両端にある雄端部を有する伸縮アセンブリを含む。本開示の伸縮モジュールの第３の実施形態は、一方の端部が雌端部であり、反対側の端部が雄端部である一対の両端にある端部を有する伸縮アセンブリを含む。本開示の伸縮モジュールの第４の実施形態は、係合され一端から外側に延びる雄端部と、そのために設けられたねじロッドとねじ込み式に係合するための貫通するねじ穴を備えた、端部プレートを有するハウジングの反対側の端部と、を備えた、両端にある端部を有するハウジングを含む。ねじロッドの近位端は、ハウジング内に収容され、先端部は、ハウジングから外向きにねじ込み式に延長可能であり、ハウジングにねじ込み式に格納可能である。雄端部は、ねじロッドの先端部と係合している。
【００２８】
第１及び第３のタイプの伸縮モジュールの雌端部は、国際特許出願第ＰＣＴ／ＣＡ２０１７／０５０３７６号に開示されている、様々なモジュール及びコンポーネントに加えて、第２、第３、及び第４のタイプの伸縮モジュールの雄端部と着脱可能に係合するように構成されている。第２、第３、及び第４のタイプの伸縮モジュールの雄端部は、国際特許出願第ＰＣＴ／ＣＡ２０１７／０５０３７６号などに開示されている、様々なモジュール及びコンポーネントの雌端部と着脱可能に係合するようにさらに構成されている。
【００２９】
一態様によれば、雄端部のそれぞれは、円柱形の本体を含むことができ、円柱形の本体の外周面に少なくとも１つの直線状の突起セット、又は間隔を空けて位置する２つ以上の突起セットを備え、それぞれの突起セットは、間隔を空けて位置する２つ以上の突起を有する。いくつかの態様によれば、雄端部のうちのいくつかは、円柱形の本体の外周を巡って間隔を空けて位置する２つの直線状の突起セットを有してもよいし、あるいは円柱形の本体の外周を巡って間隔を空けて位置する３〜１２の突起セットを有してもよい。いくつかの態様によれば、それぞれの突起セットは、間隔を空けて位置する１〜８の突起を有してもよい。いくつかの態様によれば、雄端部のうちのいくつかは、突起を有していなくてもよい。
【００３０】
別の態様によれば、雌端部のそれぞれは、雄型の円柱形の本体を内部に受容して係合するための、円柱形のレセプタクルを有してもよい。雌型のレセプタクルは、雄端部の突起をスライド可能に内部に受容して係合するための、少なくとも１つの直線状チャネル又は突起保持スロットを有してもよい。いくつかの態様によれば、雌端部のうちのいくつかは、円柱形の本体の外周を巡って間隔を空けて位置する２つの直線状の突起セットを有する雄型の円柱形の本体を内部に受容して係合するための、レセプタクルの長さに沿って間隔を空けて位置する２つの直線状チャネル又は突起保持スロットを備えた、レセプタクルを有してもよい。あるいは、雌端部のうちのいくつかは、円柱形の本体の外周を巡って間隔を空けて位置する３〜１２の直線状の突起セットを有する雄型の円柱形の本体をスライド可能に内部に受容して係合するための、間隔を空けて位置する３〜１２の直線状チャネル又は突起保持スロットを備えた、レセプタクルを有してもよい。別の態様によれば、雌端部は、突起を有しない雄端部の雄型円柱形の着脱可能に係合するための、直線状チャネル又は突起保持スロットを有していなくてもよい。別の態様によれば、雌端部のうちのいくつかは、雄端部の１つと着脱可能に係合するための、ロック用アセンブリ及び／又は１つ以上のファスナが設けられていてもよい。
【００３１】
本開示の実施形態の重要な特徴は、モジュールを互いに確実かつ安定に固定するために、本開示の及び／又は国際特許出願第ＰＣＴ／ＣＡ２０１７／０５０３７６号に開示されている伸縮モジュールと他のモジュールとの、迅速、安定、かつ確実な係合を可能化及び容易化する機構に関する。
【００３２】
雌端部５を有する第１のタイプの伸縮モジュールの例が、図１Ａ及び図１Ｂに示されており、伸縮モジュール５は一般に、延長管ハウジング１５の第１の例に含まれる、伸縮アセンブリ１０を含む。油圧、空気圧、及び／又は電動リニアアクチュエータシステムを含む様々なタイプ及びサイズの伸縮システムを伸縮モジュール５で使用してもよいし、遠隔制御、又は制御導管２０を介して制御ボックス２５で直接操作して、伸縮システムを有効又は無効にしてもよい。
【００３３】
特定の実施形態によれば、図３に示されるように、伸縮アセンブリ１０は、延長管端部ガイド３０の非螺刻穴３２を貫通するねじ６０によって、第１の延長管ハウジング１５の一端に固定される延長管端部ガイド３０を含んでもよく、延長管ハウジング１５の内側輪郭上のねじ山形成スロット７０内にねじ込み式に係合する。延長管端部ガイド３０は、延長具３５とスライド可能に協働して、雌端部５を備える伸縮モジュールの全長を延長しかつ格納することができる。
【００３４】
レセプタクル４０が、延長管ハウジング１５の先端部に設けられ、ハウジング雌端部４５を含む。図１Ａは、延長管端部ガイド３０を貫通する、延長管ハウジング１５からの延長の最大長さにある延長具３５を備えた、延長位置にある伸縮モジュール５を示し、図１Ｂは、延長管ハウジング１５に完全に格納される、延長具３５を備えた伸縮モジュール５を示す。延長具３５の先端部には、延長具雌端部５０を含む第２のレセプタクル４０が設けられている。
【００３５】
国際特許出願第ＰＣＴ／ＣＡ２０１７／０５０３７６号に開示されている様々なコンポーネントを参照すると、伸縮モジュールの雌端部は、モジュールの延長管ハウジング内に含まれる「ローテータレセプタクル」又は「接合レセプタクル」又は「側面開口レセプタクル」として構成してもよい。図１〜図３に示すように、雌端部５を備えた伸縮モジュールは、各端部に側面開口レセプタクル４０を含む。図２に示されるハウジング雌端部４５内で、側面開口レセプタクルは、一般に、ナット／導管チャネル８０の内向きの縁部に対して、長管ハウジング１５の先端部の内部へ、側面チャネル７５上をスライド可能な側面開口レセプタクルソケット５５を含み、側面開口レセプタクルは、そのソケット５５の非螺刻穴６５を貫通する４つのねじ６０によって固定され、延長管ハウジング１５の内側輪郭のねじ山形成スロット７０内にねじ込み式に係合される。
【００３６】
国際特許出願第ＰＣＴ／ＣＡ２０１７／０５０３７６号に開示されているように、システムの特定のモジュールは、そのモジュールと、協働レセプタクルを有するシステムの他のモジュールとが、確実に脱着可能な係合するために、雄端部を含んでもよい。かかる雄端部の一例は、側面開口レセプタクルソケット５５内の確実な係合のために対応するモジュール（図示せず）と、係合のために整列する図３に示される、雄型部材フラットマウントアセンブリ８５である。雄型部材フラットマウントアセンブリ８５は、幅広ピボットコンポーネント１００に取り付けられた、突起９５を備えた雄型コンポーネント９０と、フラットマウントピボットロックスプロケット１０５と、を含む（国際特許出願第ＰＣＴ／ＣＡ２０１７／０５０３７６号に開示され、図５及び６を参照して以下でさらに詳細に説明する）。側面開口レセプタクルソケット５５は、協働して形成された雄型部材チャネル１１０と、雄型部材フラットマウントアセンブリ８５などの挿入された雄端部の外輪郭に確実に係合する突起保持スロット１１５（図２に示す）と、を含む。挿入されると、雄型アセンブリ８５は、延長管ハウジング１５のチューブ穴１２５、レセプタクルソケット５５の側面の非螺刻穴１２７、及び雄型コンポーネント９０の非螺刻穴１３０を貫通するボルト１２０により、側面開口レセプタクル内に固定され、側面開口レセプタクルカバー１３５の近位側部の中央に位置するねじ穴又は螺刻挿入部１３６内で、ねじ込み式に係合されてもよく、ボルト１２０が解除されるまで、協働モジュールを共にロックする。側面開口レセプタクルカバー１３５は、固定された雄部材アセンブリの対応する直線状の突起セット９５と嵌合係合するための突起保持スロット１３７（図１６に図示）も含み得る。
【００３７】
側面開口レセプタクル４０の好ましい実施形態は、図１６に図示され、二重レセプタクル側面側面開口モジュール１３８、ならびに伸縮モジュール５及び２８０、又は本開示又は国際特許出願第ＰＣＴ／ＣＡ２０１７／０５０３７６号に開示されるシステムの側面開口モジュールに示される。側面開口レセプタクルソケット５５及び対応する長管ハウジング（図１６に図示される、第２の長管ハウジング１３９）は、雄部材フラットマウントアセンブリ８５の幅広ピボットコンポーネント１００の２つの側面上のへこみ１４１と整列する雄部材アセンブリの着脱可能な係合のための狭い端部１４０又は国際特許出願第ＰＣＴ／ＣＡ２０１７／０５０３７６号に開示されるシステムの他の雄部材アセンブリ他の雄部材アセンブリを含む。図１６に、他所に記載されるものと同じ雄コンポーネント９０及び幅広ピボットコンポーネント１００を有する２つの雄部材サイドマウントアセンブリ１４２が示されるが、フラットマウントピボットロックスプロケット１０５は、凹状ピボットロックスプロケット１４３と取り替えられ、ここで、図２、３、及び５を参照して、以下に更に詳述されるように、凹状スプロケットは、雄部材アセンブリ１４２が長管ハウジングのナット／導管チャネル、又は任意で、サイドマウント穴に対応する螺刻挿入穴１３６に固定して保持されるＴナット１４４と螺合したボルト又はねじを使用して、長管ハウジングの円柱形の側面に取り付けられるのを可能にする。
【００３８】
側面開口レセプタクルカバー１３５は、狭い端部１４０と嵌合係合し、従ってそれ自体、挿入された雄部材アセンブリ、及び任意でレセプタクルソケット５５に固定して係合するためのへこみ１４５も含み、ここで、ねじ６０は、上述のように、任意でねじ山形成スロット７０内に取り付けられず、図１６に示されるボルト１２０が、ハウジング１３９のチューブ穴１４６、レセプタクルソケット５５の側面の非螺刻穴１２７、雄コンポーネント９０の非螺刻穴１３０を通過し、次いでカバー１３５の螺刻穴又は螺刻挿入穴１３６と螺合するまで、すべての３つのコンポーネントが長管ハウジングから取り外されることを可能にする。
【００３９】
いくつかの実施形態によれば、図２に示されるように、側面開口レセプタクルソケット５５の外側輪郭は、延長管ハウジング内に組み立てられる際に、１つ以上の螺刻挿入部１３６又は六角ナット１４７が固定されるための穴又はスロットを提供してもよく、そのために延長管ハウジング１５に設けられている、１つ以上のサイドマウントボア１５０を通って、ボルト、又はねじ１２０により、雄型部材サイドマウントアセンブリ１４２等のその他のコンポーネント又は追加の雄端部を固定してもよく、それらは、上述されるか、又は国際特許出願第ＰＣＴ／ＣＡ２０１７／０５０３７６号に開示されている。追加の雄型部材サイドマウントアセンブリ１４２は、チャネル開口部１５２から伸縮モジュールの制御導管２０によって占有されていないナット／導管チャネル８０、１６４内へと貫通するＴナット１４４と、ねじ込み式に係合するボルトによって個別に固定することもできる。
【００４０】
図３に示すように、伸縮モジュールは、伸縮アセンブリ１０の先端部にレセプタクル４０を備えた延長具雌端部５０を含むことができる。延長具雌端部５０は、ねじ山形成スロット１６３内にねじ込み式に係合する非螺刻穴１６１を貫通するねじ６０によって延長具雌端部アダプタ１６０に固定される延長管ハウジング１５５の第３の例を含む。組み立てられると、アダプタ１６０又はレセプタクルソケット５５のチャネル開口部は、延長管ハウジング１５５の長さに沿って追加の雄端部又は他のコンポーネントとの確実なねじ込み式係合のために提供される、ナット／導管チャネル１６４内部へのＴナット１４４の通過を可能する。これと同じ目的で、「ミドルスクエアナットホルダー」に関連して、国際特許出願第ＰＣＴ／ＣＡ２０１７／０５０３７６号で前述したように、延長管ハウジングは、内部輪郭内で、複数の螺刻挿入穴１６７を含む中央チューブねじ付インサートマウント１６５を固定してもよく、螺刻挿入部１３６が、サイドマウントボア１７０を貫通するボルト又はねじによって、追加の雄型部材サイドマウントアセンブリ１４２又は他のコンポーネント（図示せず）を取り付けるために提供され、対応する螺刻挿入部１３６にねじ込み式に係合することもできる。中央チューブねじ付インサートマウント１６５は、止めねじにより、又はあるいはポリマー接着、又はろう付け、又はクラッシュリブなどの使用により、延長管ハウジング内の所定の位置に確実に固定することができる。
【００４１】
前述のように、伸縮モジュールは、油圧式、空圧式、又は電動リニアアクチュエータシステムを含む様々なタイプ及びサイズの伸縮システムによって機械化できる。いくつかの実施形態によれば、伸縮アセンブリ１０は、延長具３５又は他の伸縮機構がモジュール内で直接又は間接的に係合及び固定され得る伸縮アセンブリマウント１７５を含み得る。延長管ハウジング１５と係合するために整列された図３に示すように、伸縮アセンブリマウント１７５の外側輪郭は、中央チューブねじ付インサートマウント１６５と同様に、内部での確実な取り付けのため、延長管ハウジングの内側輪郭に一致してよく、そこで、伸縮アセンブリマウント１７５の外側輪郭は、取り付け穴１８０と係合する止めねじ（図示せず）によって、例えば、ポリマー接着、ろう付け、又はクラッシュリブなどの使用によって、所定の位置に固定され得る。
【００４２】
第２のタイプの伸縮モジュールの例が、図４Ａ及び４Ｂに示されており、雄端部を備えた伸縮モジュール２００は、一般に、第４の例の延長管ハウジング２１０内に確実に収容される伸縮アセンブリ１０を含み、制御導管２０を介して制御ボックス２５により制御される。伸縮チューブハウジング２１０の先端部において、伸縮モジュール２００は、本明細書又は国際特許出願第ＰＣＴ／ＣＡ２０１７／０５０３７６号に開示されるレセプタクルを有するシステムの別のモジュールと接続するために、一例として、雄型部材フラットマウントアセンブリ８５を備えたハウジング雄端部２１５を含む。延長具３５の先端部において、伸縮モジュール２００は、別のモジュールのレセプタクルに取り付けるための第２の雄型部材フラットマウントアセンブリ８５を備えた延長具雄端部２２０を含む。図４Ａは、延長管端部ガイド３０を貫通する、延長管ハウジング２１０からの延長の最大長さにある延長具３５を備え、延長位置にある、雄端部を有する伸縮モジュール２００を示し、一方図４Ｂは、延長管ハウジング２１０に完全に格納される、延長具３５を備えた伸縮モジュール２００を示す。
【００４３】
図５に示すように、ハウジング雄端部２１５は、ねじ山形成スロット２３０内にねじ込み式に係合する非螺刻穴２２７を貫通するねじ６０によって、延長管ハウジング２１０に固定された雄型フラットマウント端部プレート２２５を含む。組み立てられると、制御導管２０によって別途占有されていないのであれば、雄型フラットマウント端部プレート２２５のチャネル開口部２２８は、延長管ハウジング２１０の長さに沿って追加の雄端部又は他のコンポーネントとの確実なねじ込み式係合のために提供される、ナット／導管チャネル２３５内部へのＴナット１４４の通過を可能する。これと同じ目的で、図３を参照して前述したように、延長管ハウジング２１０は、内部輪郭内で、複数の螺刻挿入穴１６７を含む中央チューブねじ付インサートマウント１６５を固定してもまたよく、螺刻挿入部１３６は、対応する螺刻挿入部１３６にねじ込み式に係合するよう、サイドマウントボア２３６を貫通するボルト又はねじによって、追加の雄型部材サイドマウントアセンブリ１４２又は他のコンポーネント（図示せず）を取り付けるために提供される。
【００４４】
ハウジング雄端部２１５は、前述のように、雄型フラットマウント端部プレート２２５の中央に位置する、中央のねじ穴２４２又は螺刻挿入部１３６と、ねじ込み式に係合するボルト２４０によって、ここでは雄型フラットマウント端部プレート２２５に固定される雄型部材フラットマウントアセンブリ８５も含む。雄型部材フラットマウントアセンブリ８５は、雄型コンポーネント９０の中心を貫通するボルト２４０を使用して組み立てられ、それにより、雄型コンポーネント９０の近位端部で、八角形の凹部２４６（図６）内で係合する幅広ピボットコンポーネント１００と八角形のボス２４５に対して、雄型コンポーネント９０を固定する。次に、幅広ピボットコンポーネント１００は、フラットマウントピボットロックスプロケット１０５と係合し、そこで、フラットマウントピボットロックスプロケット１０５の表面の歯穴２４８に挿入された幅広ピボットコンポーネント１００の底部の歯２４７によって互いに保持される。そのアセンブリ８５は、雄型フラットマウント端部プレート２２５の表面のペグ穴２５５に挿入されたフラットマウントピボットロックスプロケット１０５（図６）の底部のペグ２５２によって、雄型フラットマウント端部プレート２２５の外向き面に対して整列され、その３つのコンポーネントの中心を貫通するボルト２４０で、雄型部材フラットマウントアセンブリ８５は、着脱可能にその端部プレート２２５の固定されることができる。
【００４５】
図６に示すように、雄端部を有する伸縮モジュール２００はまた、延長管ハウジング２１０内から延びる伸縮アセンブリ１０の先端部に延長具雄端部２２０を含む。延長具雄端部アダプタ２７０は、中央のねじ穴２７５へのボルト、又は他の取り付け手段（図示せず）によって、延長具３５に直接又は間接的に固定される。外向きに面する雄型部材フラットマウントアセンブリ８５は、前述のように、その端部アダプタ２７０の中央に位置する、中央のねじ穴２７５又は螺刻挿入部１３６の外向の端部と、ねじ込み式に係合するように、雄型アセンブリコンポーネントの中央の穴を貫通するボルト２４０によって、取り付けられてもよい。
【００４６】
第３のタイプの伸縮モジュールの例として、図７Ａ及び７Ｂが示されており、雌端部及び雄端部を備えた伸縮モジュール２８０は、一般に、第１の延長管ハウジング１５内に確実に収容された伸縮アセンブリ１０を含み、制御導管２０を介して制御ボックス２５により制御される。伸縮チューブハウジング１５の先端部において、伸縮モジュール２８０は、本明細書又は国際特許出願第ＰＣＴ／ＣＡ２０１７／０５０３７６号に開示される雄端部を有するシステムの別のモジュールと接続するために、レセプタクル４０を備えたハウジング雄端部４５を含む。延長具３５の先端部で、伸縮モジュール２８０は、別のモジュールのレセプタクルと契合するための雄型部材フラットマウントアセンブリ８５を備えた延長具雄端部２２０を含む。あるいは、レセプタクル４０は、延長具３５の先端部に設けられてもよく、雄端部アセンブリ８５は、延長管ハウジング１５の先端部に設けられてもよい。図７Ａは、延長管端部ガイド３０を貫通する、延長管ハウジング１５からの延長の最大長さにある延長具３５を備え、延長位置にある、伸縮モジュール２８０を示し、図７Ｂは、延長管ハウジング１５に完全に格納される、延長具３５を備えた伸縮モジュール２８０を示す。
【００４７】
ねじ棒伸縮モジュール３００の例は、図８Ａ、８Ｂ、及び８Ｃ（それぞれ、斜視図、分解斜視図、及び断面図）に示されており、一般に、ねじ山形成スロット３０８と、雄端部アセンブリ８５が取り付けられた雄型フラットマウント端部プレート２２５とねじ込み式に係合するねじ６０により、一端に固定された、延長管ハウジング３０５の第５の例を含む。延長管ハウジング３０５の他端部には、４本のねじ６０を使用して延長管ハウジング３０５の端部に取り付けられている、保持コンポーネント３１０を含む、伸縮アセンブリが取り付けられている。保持プレート３１５は、ねじ３２３でロッド調整コンポーネント３２０の内向き端部に固定されている。ロッド調整コンポーネント３２０の内側部分は、ブッシング３２５によって分離された、保持コンポーネント３１０の中心を貫通する。ロッド調整コンポーネント３２０及び保持プレート３１５は、ねじ山形成スロット３０８でねじ６０により延長管ハウジング３０５内にアセンブリを固定する、保持コンポーネント３１０と、回転可能に係合している。ロッド調整コンポーネント３２０は、ねじロッド３３０とねじ込み式に係合するねじ穴を有している。ねじロッド３３０の閉鎖端部には、ロッド端部ねじ穴３３２が設けられ、ロッド端部ねじ３３５が、ねじ込み式に係合することにより、ロッド調整コンポーネント３２０からの、ねじロッド３３０の過度の延長及び偶発的な分離を防止するストッパーを提供する、ワッシャー３３７を固定する。
【００４８】
ねじロッド３３０の外端部は、より狭い直径の第２のねじ部分３４０を有し、ねじロッド雄型マウントアダプタ３４５が中央のねじ穴でねじ込み式に係合される。ボルト又はねじを使用して、雄型部材フラットマウントアセンブリ８５は、本明細書又は国際特許出願第ＰＣＴ／ＣＡ２０１７／０５０３７６号に開示されるシステムの別のモジュールの雌端部と伸縮アセンブリ３００との係合のため、中央のねじ穴で、そのアダプタ３４５の外向き面と脱着可能に係合する。
【００４９】
オペレータは、ロッド調整コンポーネント３２０を時計回りに回転させて、その雄型マウントアダプタ３４５と雄端部アセンブリ８５とをモジュール３００の他の部分からから遠ざかるように延ばしてもよく、雄端部アセンブリ８５の所望の外への延長が達成されるまで、ねじロッド３３０を外へと進める。オペレータは、ロッド調整コンポーネント３２０を反時計回り方向に回転させることにより、雄端部アセンブリ８５を逆方向に格納させることができる。
【００５０】
雄型部材フラットマウントアセンブリ８５、及び雄型部材サイドマウントアセンブリ１４２は、国際特許出願第ＰＣＴ／ＣＡ２０１７／０５０３７６号の図１、４等に示す、ローテータレセプタクル「１１」と回転可能又は係止係合するように構成されることに留意されたい。本雄型部材フラットマウントアセンブリ８５及び雄型部材サイドマウントアセンブリ１４２は、また、国際特許出願第ＰＣＴ／ＣＡ２０１７／０５０３７６号の図６、１７等に示す、接合レセプタクル「２１１」と脱着可能に係合するように構成されることに留意されたい。本雄型部材フラットマウントアセンブリ８５は、また、図１３、１４、１５、１７に示す、４５°サイドマウントブラケットモジュール「３５０」、雄型部材マウントブロックモジュール「３５５」、「３５６」、「３５７」、「３５８」、「３５９」、「３６０」、５°増分の調整可能な雄型部材マウントモジュール「３８０」、雄型マウントスライダーコンポーネント「４５０」だけでなく、国際特許出願第ＰＣＴ／ＣＡ２０１７／０５０３７６号の図２３、２４、２８、及び３０に示す、キャスターホイールモジュー「５６０」、レベリングフットモジュール「５８０」、端部キャップモジュール「６２５」、雄型ドーム端部キャップモジュール「６５０」と、脱着可能に係合するように構成されることを留意されたい。
【００５１】
本明細書で開示される伸縮モジュールの収縮長さは、例えば、６”、１２”、１８”、２４”、３２”、３６”、４２”、４８”、６０”、７２”、８４”、９６”、及びこれらの間であってもよい。本明細書で開示される伸縮モジュールの収縮長さは、例えば、１５ｃｍ、３０ｃｍ、４５ｃｍ、６０ｃｍ、８１ｃｍ、９１ｃｍ、１０６ｃｍ、１２２ｃｍ、１５０ｃｍ、１８０ｃｍ、２１０ｃｍ、２４０ｃｍ、及びこれらの間であってもよい。伸縮モジュールの長さの増加に比例して、現在の伸縮モジュールの幅を調整して、使用中の伸縮モジュールの堅牢性、安定性、及び耐久性を、維持及び保存することが適切である。伸縮モジュールの幅と長さに比例して、雌端部コンポーネントと、雌端部コンポーネントの寸法を調整して、使用中の伸縮モジュールの堅牢性、安定性、耐久性を、維持及び保存することが適切である。
【００５２】
伸縮アセンブリは、制御可能に延長可能かつ格納可能な空気圧シリンダー、又は油圧シリンダー、又は電気モーターによって制御される多段伸縮機構のいずれかを含んでもよいことに留意されたい。このような伸縮アセンブリは、机やワークステーションなどの昇降に使用される「高さ調整可能な」コンポーネントと称される。そのような高さ調整可能なコンポーネントに関する情報は、例えば、ｈｔｔｐ：／／ｗｗｗ．ｈｅｉｇｈｔａｄｊｕｓｔａｂｌｅｄｅｓｋａｄｖｉｃｅ．ｃｏｍ／、及び米国特許第６，５９５，１４４号、同７，９３４，４５９号、同９，００３，９７９号、同６，６５５，４３８号、同９，６５５，４４５号などで確認できる。本明細書で開示される本発明の伸縮モジュールを、既知の高さ調節コンポーネントと区別する主な特徴は、本明細書で開示される雌端部コンポーネントと既知の高さ調節コンポーネントの一端又は両端との統合、及び本明細書で開示される雄端部コンポーネントと既知の高さ調整コンポーネントの一端又は両端との統合である。本明細書で開示される雌端部コンポーネント及び雄端部コンポーネントと統合するための、特に適切な既知の高さ調整コンポーネントは、米国規格協会（ＡＮＳＩ）の下のサブグループである、オフィス家具製造者協会（ＢＩＦＭＡ）によって設定された最低水準を満たし、それを超える高さ調整コンポーネントである。
【００５３】
本明細書で開示される空気圧制御及び油圧制御伸縮モジュールに関するいくつかの例のうち、伸縮の程度及び速度は、オペレータによって、あるいは、延長管ハウジング内に含まれる延長／格納機構付きの制御導管２０を介して通信する制御ボックス２５によって、手動で制御してよいことにも留意されたい。本明細書で開示される電気制御伸縮モジュールのいくつかの例は、オペレータによって、あるいは延長管ハウジング内に含まれる伸縮機構付きの制御導管２０を介して通信する制御ボックス２５によって、あるいは例えば、その延長／格納機構と電気的に組み合わされる伸縮モジュール上の受信機へ遠隔制御ボックスからの信号の無線送信によって、手動で制御してよいことにも留意されたい。
【００５４】
本明細書で開示される伸縮モジュールは、国際特許出願第ＰＣＴ／ＣＡ２０１７／０５０３７６号に開示される様々なモジュールと組み合わせて、作業、オフィス、産業、小売の現場、又は家庭環境において、有用及び丈夫なユーティリティアセンブリを構成することができる。
【００５５】
本明細書で開示される実施形態のより良い理解を得るために、ユーティリティシステムアセンブリ及び支持構造アセンブリの以下の実施例が説明される。
【実施例】
【００５６】
実施例１：高さ調整可能なユーティリティカートアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なローリングユーティリティカートアセンブリの例を、図９及び１０に示す（それぞれの下降位置と上昇位置）。ユーティリティカートアセンブリ３５０は、４つの３６０°旋回可能なキャスターホイールモジュール４００上で、ユーティリティカートを任意の方向に押したり引いたりすることにより移動でき、作業現場又は他の場所の周辺で、機器、所有物、材料、備品などを搬送するための、下部オープントレイアセンブリと上部ボックストレイアセンブリを提供する。あるいは、ホイールモジュールの代わりに、国際特許出願第ＰＣＴ／ＣＡ２０１７／０５０３７６号の図２４、２５、及び３３に示されている、フットモジュール「５８０」、「５８５」、「５９０」又は端部キャップコンポーネント「６８０」などの、スタンディングシェルフ及びストレージアセンブリ用のベースにシステムの他のモジュールを備えた、同様のアセンブリを構成することができる。
【００５７】
本実施例では、雌端部５を備えた４つの伸縮モジュールが、ユーティリティカートアセンブリ３５０の高さ調整可能フレームを形成している。２つのトレイアセンブリは、これらのコーナーの伸縮モジュール５から固定されており、それぞれが、４つのコーナー全てに角開口部３６０を備えたトレイ底部３５５の第１の例を有して、４つの伸縮モジュール５は、カラー３７０で整列され内部で固定されることができる。図９で示されているように、それぞれの伸縮モジュール５は、まず、サイドマウントボア内部へのねじ３７５によって、及びナット／導管チャネル内部へのＴナット１４４を備えたねじ３７５によって、２つのカラー３７０と係合しており、それらは、それぞれの所望のトレイ底部取り付け位置の真下の伸縮モジュール５の長さ上に固定される。トレイ底部３５５の下から開口部３６０の内部へと、カラー３７０を備えたモジュール５を挿入し、カラー３７０の上面にねじ穴にねじ込み式で係合するよう、カラーねじ穴３６５を貫通するねじ３７５でトレイ底部３５５に固定することができる。
【００５８】
上部トレイアセンブリで示されているように、最大４つのサイドパネル３８５、３８８を、トレイ底部３５５の側端部と、それに取り付けられたカラー３７０の側面と、にあるサイドパネルねじ穴３９５に、ねじ込み式で係合されたねじ３７５により固定できる。サイドパネル３８５、３８８の安定性を高めるために、４つのカラー３７０の追加セットを、伸縮モジュール５に固定することができ、サイドパネルの上部コーナーの穴が整列し、ねじ３７５が側面の穴とねじ込み式で係合でき、それによりカラー３７０がトレイアセンブリのさらなる補強を提供する。
【００５９】
ユーティリティカートアセンブリ３５０の４つのコーナーのそれぞれにおいて、キャスターホイールモジュール４００は、各伸縮モジュール５の底端部レセプタクル内でその雄型部材フラットマウントアセンブリ８５により着脱可能に係合され、ユーティリティカートの回転運動を可能としている。本実施例では、キャスターホイールモジュール４００は、マウントコンポーネント４０５の上面に固定された雄型部材フラットマウントアセンブリ８５を含む。雄型部材フラットマウントアセンブリ８５は、まず、マウントコンポーネントの上面におけるペグ穴４１０に挿入されたフラットマウントピボットロックスプロケット（図６）底部のペグ２５２によって、マウントコンポーネント４０５の上面に対して整列され、３つのコンポーネントの中心を貫通し、マウントコンポーネント４０５の中心にある中央のねじ穴４１５又は螺刻挿入部１３６とねじ込み式で係合するボルトによって、雄型部材フラットマウントアセンブリ８５は、脱着可能に固定される。キャスターホイール４２０は、取り付けねじ、又はマウントコンポーネント４０５の下面のその他の取り付け手段により、マウントコンポーネント４０５と回転可能に係合している。
【００６０】
本実施例では、上部トレイアセンブリの高さは、制御コンジット２０を介して伸縮モジュールに送信される制御ボックス２５の操作により、延長可能かつ格納可能な伸縮モジュール５で上下させることができる。
【００６１】
所望であれば、１つ以上の追加のトレイアセンブリは、本明細書及び国際特許出願第ＰＣＴ／ＣＡ２０１７／０５０３７６号に開示されるように、延長管端部ガイド３０の上の伸縮モジュール５の長さの上の上部トレイアセンブリより下の、又は延長管ハウジングモジュールの追加の長さの上の伸縮モジュール５より上にある（図示せず）、ユーティリティカートアセンブリ３５０に含まれ、４つの上部レセプタクル４０内に固定される雄端部を有してもよいことを留意されたい。追加のトレイアセンブリを上部トレイ底部３５５の上の追加モジュールに配置し、ユーザーが隣接するトレイ底部の間隔を制御可能に変更したい場合、４つの伸縮モジュール２００又は２８０のセットを利用可能なレセプタクル４０でアセンブリに組み込むことができる。この場合、４つの伸縮モジュール２００又は２８０の各セットの延長／格納であれば、モジュールのそれぞれのセット用の別個の制御ボックスで個別に制御可能であろう。
【００６２】
実施例２：高さ調整可能なワークステーションアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なワークステーションアセンブリ４５０の例を、図１１及び１２に示す（それぞれの下降位置と上昇位置）。
【００６３】
本実施例は、長方形の卓上４５５、及び卓上４５５の上に位置する長方形の棚４６０を含む。取り付けプレート凹部４７０は、卓上４５５の上面に設けられており、２つの円形取り付けプレート４７５は、ねじ穴４７８又は卓上４５５の表面に取り付ける他の手段を介して、プレートねじ４８０によって固定され得る。さらに、２つの円形取り付けプレート４７５は、棚４６０の底面の２つの取り付けプレート凹部（図示せず）内に固定される。４つの雄型部材フラットマウントアセンブリ８５のそれぞれは、各取り付けプレート４７５の中央のねじ穴４７７とねじ込み式に係合するボルトにより、取り付けプレート４７５と確実に係合する。チューブ穴４６７及びサイドマウントボア４６８を備えた延長管ハウジング４６６の第６の例を含む、二重レセプタクルの側面開口モジュール４６５に関する第２の例の２つの低端部は、次いで、卓上４５５の上面に固定され、上向きに延びる雄型部材フラットマウントアセンブリ８５と係合し、チューブ穴４６７を貫通するボルト１２０、及び側面開口レセプタクルカバー１３５の近位側部にある、ねじ穴又は螺刻挿入部１３６と、内部でねじ込み式に係合するよう雄型コンポーネントによって所定位置に固定される。同様に、二重レセプタクルの側面開口モジュール４６５の上端部は、棚４６０の底部に固定された下向きに延びる雄型部材フラットマウントアセンブリ８５と係合し、側面開口レセプタクルカバー１３５とねじ込み式に係合されたボルト１２０によって、所定位置に固定される。
【００６４】
取り付けプレートは、形状が円形又は長円形又は三角形又は正方形又は長方形又は台形又は六角形又は八角形であってもよく、様々な数のねじ穴４７８又は表面とのその他の取り付け手段を提供できることに留意されたい。卓上４５５の底面には、卓上４５５の各角の近くに４つの三角形の取り付けプレート凹部（図示せず）が設けられている。各凹部は、穴又は他の取り付け手段を介してプレートねじ４８０により卓上４５５の底面に固定された三角形の取り付けプレート４８５を内部で受容するように構成されている。４つの雄型部材フラットマウントアセンブリ８５は、各取り付けプレートの中央のねじ穴とねじ込み式に係合するボルトによって、三角形の取り付けプレート４８５とそれぞれ確実に係合する。雌端部及び雄端部２８０を有する４つの伸縮モジュールはそれぞれ、ボルト１２０及び側面開口レセプタクルカバー１３５によって、雄型部材フラットマウントアセンブリ８５に上に確実に取り付けられ、それにより、ステーションアセンブリ４５０の作業の高さ調節可能な脚コンポーネントを提供する。伸縮モジュール２８０の底部雄型部材フラットマウントアセンブリ８５は、本実施例では、ねじ４９２によってモジュールの延長具雄端部アダプタ２７０に固定された４つの端部キャップ４９０によって取り外されて交換され、それにより脚コンポーネントを提供する。本実施例では、制御導管２０を介して伸縮モジュールに送信される制御ボックス２５の操作により、延長可能かつ格納可能な伸縮モジュール２８０上で机上面の高さを上下させることができる。
【００６５】
同様に、回転ワークステーションアセンブリは、例えば端部キャップ４９０又は他のフットモジュールの代わりに、キャスターホイールモジュール４００を含めることで、アセンブリに構成されてもよく、レセプタクル付き伸縮モジュール又はレセプタクル付き追加モジュールは、下端部に設けられる。
【００６６】
より大きな棚又は２つの小さな棚が、同様のアセンブリに設けられている場合、２つの追加の取り付けプレート凹部４７０は、円形の取り付けプレート４７５と、雄型部材フラットマウントアセンブリ８５と、追加のモジュールとをその上に取り付けるために、卓上４５５の後方コーナーに設けられる。使用されていないとき、審美的な目的のために、凹部４７０は、凹部を閉じるために設けられている卓上凹部キャップ４９５を、挿入している場合がある。
【００６７】
卓上、又はテーブルトップ、又は棚又は類似のアセンブリのステージングは、正方形、長方形、台形、三角形、五角形、六角形、七角形、八角形、十角形、円形、インゲン豆形、波形、また、対称及び非対称曲直線状の他の形態を有してもよい。これらのモジュール式センブリには４つの脚が備わっているのが最も一般的だが、三角形の上面に３本の脚、たとえば又は、様々なモジュール式構成を組み立てるために、上面の両側に２本のＡフレーム脚、又は単一の重み付きあるいは足が広げられた中央脚を設けることは、任意である。
【００６８】
実施例３：高さ調整可能なプラットフォームアセンブリ
本明細書及び国際特許出願第ＰＣＴ／ＣＡ２０１７／０５０３７６号に開示されるように、システムの他の特定のモジュールに伸縮モジュールを組み込むことにより、迅速に組み立てることができる、高さ調整可能なプラットフォームアセンブリ５００の例を、図１３、１４、１５に示す（それぞれ、下降図、上昇図、分解図）。
【００６９】
本実施例は、実施例２を参照して上述したように、雄端部アセンブリ８５及び取り付けプレート４７５、４８５により、雌端部５を有する６つの伸縮モジュールの上端部のレセプタクル４０に取り付けられた長方形プラットフォーム５０５を含む。プラットフォーム５０５に強度及び剛性を加えるために、プラットフォーム補強具５１０は、ネジ、及び／又は接着剤、及び／又は他の取り付け手段を使用して、プラットフォームの下側の対応する凹部に挿入し、固定することができる。
【００７０】
実施例１を参照して上述したように、トレイ底部５１５の第２の例と、サイドパネル５４０及び５４５の第３及び第４の例は、６つの伸縮モジュール５の上昇可能な延長管ハウジングの下端部で複数対のカラー３７０に固定され、それにより対応するカラー３７０の上側にある、カラーねじ穴５３５を貫通し、ねじ穴とねじ込み式に係合するねじを使用して、トレイ底部５１５の外周に沿ってあるコーナー開口部内５２５及び中間開口部内に５３０に固定される。トレイ底部５２０の第３の例は、上記と同じ手段により、６つの伸縮モジュール５の底部延長具雌端部に固定されたカラー３７０に取り付けられて示されている。
【００７１】
アセンブリ全体の強度と剛性を高めるために、図示のように、又は他と同様の配置で、ブレーシングモジュールをアセンブリに組み込むこともできる。本実施例において、アセンブリの２つの短辺を形成する３つの伸縮モジュール５のセットは、第１の二重レセプタクルの側面開口モジュール１３８のうちの４つによって、補強され、それぞれが、図１６を参照して上に記載される２つの雄部材サイドマウントアセンブリ１４２と着脱可能に係合する。さらなる補強のために、フレームコーナーブレース５７０は、交差する側面開口モジュール１３８及び伸縮モジュール５のナット／導管チャネルに保持されたＴナット１４４と、係合するネジ５７５によって固定される。
【００７２】
プラットフォームアセンブリ５００の構造的一体性をさらに高めるために、ブラケットマウントプレート５９５とその上に雄型アセンブリ８５が設けられている雄型マウントスペーサプレート６００とをねじ５７５でその上で固定した、プレートウェッジ５９０の例と、ボルト１２０を使用して係合するマルチアングル雄型部材マウントブラケット５８５の例を含む、コンポーネントのサブアセンブリによって、伸縮モジュール５に固定される、雄型部材フラットマウントアセンブリ８５のコーナーにある、伸縮モジュール５のそれぞれと脱着可能に係合する２つの第３の二重レセプタクルの側面開口モジュール５８０によって、アセンブリの長辺は、補強される。選択的に、図示のように、対角線ブレーシングは、ねじ５７５とＴナット１４４により対応のナット／導管チャネルに固定される脱着可能に係合された雄型部材フラットマウントアセンブリ８５を備えた、４５°オフセットサイドマウント雄型ブラケット６１０の例のうちの２つによって、それぞれ支持される４つの第４の例の二重レセプタクルの側面開口モジュール６０５を使用して、このアセンブリ５００内に設けられてもよい。
【００７３】
プラットフォームアセンブリ５００の４つのコーナーそれぞれにおいて、キャスターホイールモジュール４００は、各伸縮モジュール５の底端部レセプタクル内で、雄型部材フラットマウントアセンブリ８５に脱着可能に係合し、プラットフォームアセンブリ５００の回転運動を可能にする。延長具雄端部アダプタ２７０を備えた伸縮モジュール又は雄型フラットマウント端部プレート２２５を備えた追加モジュールが、底端部に設けられている場合、アセンブリのホイールモジュールの代わりに、端部キャップ４９０、例えばまた、他のフットモジュールを含めることによって、同様の静的アセンブリは、構成される。
【００７４】
本実施例では、プラットフォームと中間トレイの底部５１５の高さは、制御導管２０を介して伸縮モジュールに送信される制御ボックス２５の操作により、延長可能かつ格納可能な伸縮モジュール５上で上下させることができる。実施例３と同様のアセンブリは、高さ調節可能なベッドフレームシステムなどにも構成されてもよい。
【符号の説明】
【００７５】
５−雌端部を備えた伸縮モジュール（図１〜図３）
１０−伸縮アセンブリ
１５−第１の延長管ハウジング
２０−制御導管
２５−制御ボックス
３０−延長管端部ガイド
３２−非螺刻穴
３５−延長具
４０−レセプタクル
４５−ハウジング雌端部
５０−延長具雌端部
５５−側面開口レセプタクルソケット
６０−ねじ
６５−非螺刻穴
７０−ねじ山形成スロット
７５−側面チャネル
８０−ナット／導管チャネル
８５−雄型部材フラットマウントアセンブリ
９０−雄型コンポーネント
９５−突起
１００−幅広ピボットコンポーネント
１０５−フラットマウントピボットロックスプロケット
１１０−雄型部材チャネル
１１５−突起保持スロット
１２０−ボルト
１２５−チューブ穴
１２７−螺刻穴
１３０−非螺刻穴
１３５−側面開口レセプタクルカバー
１３６−螺刻挿入部
１３７−突起保持スロット
１３８−第１の二重レセプタクル側面開口モジュール
１３９−第２の長管ハウジング
１４０−狭い端部
１４１−幅広ピボットコンポーネントくぼみ
１４２−雄部材サイドマウントアセンブリ
１４３−凹状ピボットロックスプロケット
１４４−Ｔナット
１４５−レセプタクルカバーくぼみ
１４６−チューブ穴
１４７−六角ナット
１５０−サイドマウントボア
１５２−チャネル開口部
１５５−第３の延長管ハウジング
１６０−延長具雌端部アダプタ
１６１−非螺刻穴
１６３−ねじ山形成スロット
１６４−ナット／導管チャネル
１６５−中央チューブねじ付インサートマウント
１６７−螺刻挿入穴
１７０−サイドマウントボア
１７５−伸縮アセンブリマウント
１８０−取り付け穴
２００−雄端部を有する延長管端部ガイド（図４〜６）
２１０−第４の延長管ハウジング
２１５−ハウジング雄端部
２２０−延長雄端部
２２５−雄型フラットマウント端部プレート
２２７−非螺刻穴
２２８−チャネル開口部
２３０−ねじ山形成スロット
２３５−ナット／導管チャネル
２３６−サイドマウントボア
２４０−ボルト
２４２−中央のねじ穴
２４５−八角形のボス
２４６−八角形の凹部
２４７−歯
２４８−歯穴
２５２−ペグ
２５５−ペグ穴
２７０−延長具雄端部アダプタ
２７５−中央のねじ穴
２８０−雌端部及び雄端部を備えた伸縮モジュール（図７）
３００−ねじロッド伸縮モジュール（図８）
３０５−第５の延長管ハウジング
３０８−ねじ山形成スロット
３１０−保持コンポーネント
３１５−保持プレート
３２０−ロッド調整コンポーネント
３２３−ねじ
３２５−ブッシング
３３０−ねじロッド
３３２−ロッド端部ねじ穴
３３５−ロッド端部ねじ
３３７−ワッシャー
３４０−第２のねじ部分
３４５−ねじロッド雄型マウントアダプタ
３５０−高さ調整可能なユーティリティカートアセンブリ（図９、１０）
３５５−第１のトレイ底部
３６０−角開口部
３６５−カラーのねじ穴
３７０−カラー
３７５−ねじ
３８５−第１のサイドパネル
３８８−第２のサイドパネル
３９５−サイドパネルのねじ穴
４００−キャスターホイールモジュール
４０５−マウントコンポーネント
４１０−ペグ穴
４１５−中央のねじ穴
４２０−キャスターホイール
４５０−高さ調整可能なワークステーションアセンブリ（図１１、１２）
４５５−卓上
４６０−棚
４６５−第２の二重レセプタクルの側面開口モジュール
４６６−第６の延長管ハウジング
４６７−チューブ穴
４６８−サイドマウントボア
４７０−取り付けプレート凹部
４７５−円形取り付けプレート
４７７−中央のねじ穴
４７８−ねじ穴
４８０−プレートねじ
４８５−三角形の取り付けプレート
４９０−端部キャップ
４９２−端部キャップねじ
４９５−卓上凹部キャップ
５００−高さ調整可能なプラットフォームアセンブリ（図１３〜１５）
５０５−プラットフォーム
５１０−プラットフォーム補強具
５１５−第２のトレイ底部
５２０−第３のトレイ底部
５２５−コーナー開口部
５３０−中間開口部
５３５−カラーのねじ穴
５４０−第３のサイドパネル
５４５−第４のサイドパネル
５７０−フレームコーナーブレース
５７５−ねじ
５８０−第３の二重レセプタクルの側面開口モジュール
５８５−マルチアングル雄型部材マウントブラケット
５９０−プレートウェッジ
５９５−ブラケットマウントプレート
６００−雄型マウントスペーサプレート
６０５−第４の二重レセプタクルの側面開口モジュール
６１０−４５°オフセットサイドマウント雄型ブラケット
【手続補正２】
【補正対象書類名】特許請求の範囲
【補正対象項目名】全文
【補正方法】変更
【補正の内容】
【特許請求の範囲】
【請求項１】
複数の着脱可能に係合された携帯型モジュールを有する構造アセンブリを着脱可能に構成する際に用いられる携帯型伸縮モジュールであって、前記伸縮モジュールは、
ハウジング要素であって、それから外向きに延びる第１の雌端部を有する、ハウジング要素と、前記ハウジング要素内に収容され、それから外向きに延びる延長具要素と、を含み、前記延長具要素は、前記第１の雌端部の反対側にある外向きに延びる第２の雌端部を有し、前記延長具要素は、前記ハウジング要素から外向きに延長可能及び前記ハウジング要素内に格納可能である、第１の細長い伸縮支持コンポーネント、又は、
ハウジング要素であって、それから外向きに延びる第１の雄端部を有する、ハウジング要素と、前記ハウジング要素内に収容され、それから外向きに延びる延長具要素と、を含み、前記延長具要素は、前記第１の雄端部の反対側にある外向きに延びる第２の雄端部を有し、前記延長具要素は、前記ハウジング要素から外向きに延長可能及び前記ハウジング要素内に格納可能である、第２の細長い伸縮支持コンポーネント、又は、
ハウジング要素であって、それから外向きに延びる雌端部を有する、ハウジング要素と、前記ハウジング要素内に収容され、それから外向きに延びる延長具要素と、を含み、前記延長具要素は、前記雌端部の反対側にある外向きに延びる雄端部を有し、前記延長具要素は、前記ハウジング要素から外向きに延長可能及び前記ハウジング要素内に格納可能である、第３の細長い伸縮支持コンポーネント、を含み、
前記第１、第２、及び第３の伸縮支持コンポーネントは、油圧アクチュエータシステム、又は空気圧アクチュエータシステム、又は電動リニアアクチュエータシステムのうちの１つをさらに含み、
前記雌端部のそれぞれは、非伸縮モジュールからの雄端部を内部に着脱可能に受容して、前記雄端部と係合するように構成されている、円柱形のレセプタクルを有し、前記雌端部のそれぞれには、ロック用アセンブリが設けられており、
前記雄端部のそれぞれは、非伸縮モジュールからの雌端部と着脱可能に係合するように構成されており、前記雌端部は、前記雄端部のうちの１つを内部に着脱可能に受容して、前記雄端部と係合するように構成された円柱形のレセプタクルを有する、携帯型伸縮モジュール。
【請求項２】
前記第３の細長い伸縮支持コンポーネントは、ハウジング要素であって、それから外向きに延びる前記雄端部を有する、ハウジング要素と、前記ハウジング要素内に収容され、前記ハウジング要素から外向きに延長可能及び前記ハウジング要素内に格納可能である延長具要素を含み、前記延長具要素は、前記雄端部の反対側にある外向きに延びる雌端部を有する、請求項１に記載の携帯型伸縮モジュール。
【請求項３】
前記レセプタクルは、少なくとも１つの直線状の突起セットを内部にスライド可能に受容するための、１つ以上の直線状チャネルを有する、請求項１又は２に記載の携帯型伸縮モジュール。
【請求項４】
前記レセプタクルは、少なくとも１つの直線状の突起セットを内部にスライド可能に受容するための、１つ以上の突起保持スロットを有する、請求項１又は２に記載の携帯型伸縮モジュール。
【請求項５】
前記雌端部のそれぞれに、前記複数の携帯型モジュールのうちの１つ以上からの雄端部と解除可能に内部で係合するためのロック用アセンブリが設けられている、請求項１又は２に記載の携帯型伸縮モジュール。
【請求項６】
前記ロック用アセンブリは、前記複数の携帯型モジュールのうちの１つ以上から外向きに延びる雄端部の基部に設けられたロックスプロケットに可逆的に係合するように構成されている、請求項５に記載の携帯型伸縮モジュール。
【請求項７】
前記ロック用アセンブリは、延長可能かつ格納可能な指標ペグを含む、請求項５又は６に記載の携帯型伸縮モジュール。
【請求項８】
前記レセプタクルには、解除ボタンを有する保持ハーフロックと協働する、スプリングレセプタクルを有する保持ハーフロックを含む保持ロックが設けられている、請求項１〜７のいずれか１項に記載の携帯型伸縮モジュール。
【請求項９】
前記レセプタクルの外側側壁には、それに沿って長手方向に延びる着脱可能に係合可能なハッチが設けられ、それにより、前記ハッチを取り外すことにより、前記円柱形の本体の前記レセプタクルへの側方向の挿入のために前記レセプタクルが開かれ、前記ハッチを再係合することにより、前記円柱形の本体と前記レセプタクルとが確実に係合する、請求項１〜８のいずれか１項に記載の携帯型伸縮モジュール。
【請求項１０】
前記第２の細長い伸縮支持コンポーネント又は前記第３の細長い伸縮支持コンポーネントの前記雄端部のうちの１つは、前記複数の携帯型モジュールのうちの１つ以上のレセプタクルの長手方向軸を中心に回転可能である、請求項１〜９のいずれか１項に記載の携帯型伸縮モジュール。
【請求項１１】
前記第１の前記複数の携帯型モジュールのうちの１つ以上又は前記第３の前記複数の携帯型モジュールのうちの１つ以上の前記雌端部のうちの１つは、前記複数の携帯型モジュールのうちの１つ以上の雄端部の長手方向軸を中心に回転可能である、請求項１〜１０のいずれか１項に記載の携帯型伸縮モジュール。
【請求項１２】
前記伸縮モジュールは、それから放射状に外向きに延びる１つ以上の脱着可能な雄端部（複数可）を有する、請求項１〜１１のいずれか１項に記載の携帯型伸縮モジュール。
【請求項１３】
複数の着脱可能に係合された携帯型モジュールを有する構造アセンブリを着脱可能に構成する際に用いられる携帯型伸縮モジュールであって、前記伸縮モジュールは、
第１の端部と反対側の第２の端部とを備えるハウジング要素を含む、細長い伸縮支持コンポーネントを含み、前記第１の端部は、それから外向きに延びる第１の雄端部を有し、前記第２の端部は、ねじ穴のために設けられた、前記ねじ穴とのねじ係合ねじロッドのための、貫通する前記ねじ穴を有する端部プレートを含み、前記ねじロッドは、前記ハウジングの前記第２の端部から外向きに延び、前記ねじロッドは、第２の雄端部に固定され、前記雄端部のそれぞれは、円柱形の本体の円周面の周りに少なくとも１つの直線状の突起セットを有する前記円柱形の本体を含み、それぞれの直線状の突起セットは、間隔を空けて位置する２つ以上の突起を有し、
前記雄端部は、非伸縮モジュールの雌端部と脱着可能に係合するように構成されており、前記雌端部は、雄端部のうちの１つを内部に着脱可能に受容して、前記雄端部のうちの前記１つと係合するように構成された円柱形のレセプタクルを有し、前記雌端部にはロック用アセンブリが設けられている、携帯型伸縮モジュール。
【請求項１４】
前記第１の端部は、それから外向きに延びる雌端部を有し、前記第２の端部は、ねじ穴のために設けられた、前記ねじ穴とのねじ係合ねじロッドのための、貫通するねじ穴を備える端部プレートを含み、前記ねじロッドは、前記ハウジングの前記第２の端部から外向きに延び、前記ねじロッドは、雄端部に固定される、請求項１３に記載の携帯型伸縮モジュール。
【請求項１５】
前記伸縮モジュールは、それから放射状に外向きに延びる１つ以上の脱着可能な雄端部（複数可）を有する、請求項１３又は１４に記載の携帯型伸縮モジュール。
【手続補正３】
【補正対象書類名】図面
【補正対象項目名】全図
【補正方法】変更
【補正の内容】
【図１Ａ】
2020534488.tif 000023
【図１Ｂ】
2020534488.tif 000024
【図２】
2020534488.tif 000025
【図３】
2020534488.tif 000026
【図４Ａ】
2020534488.tif 000027
【図４Ｂ】
2020534488.tif 000028
【図５】
2020534488.tif 000029
【図６】
2020534488.tif 000030
【図７Ａ】
2020534488.tif 000031
【図７Ｂ】
2020534488.tif 000032
【図８Ａ】
2020534488.tif 000033
【図８Ｂ】
2020534488.tif 000034
【図８Ｃ】
2020534488.tif 000035
【図９】
2020534488.tif 000036
【図１０】
2020534488.tif 000037
【図１１】
2020534488.tif 000038
【図１２】
2020534488.tif 000039
【図１３】
2020534488.tif 000040
【図１４】
2020534488.tif 000041
【図１５】
2020534488.tif 000042
【図１６】
2020534488.tif 000043
【国際調査報告】
2020534488.tif 000044
2020534488.tif 000045
2020534488.tif 000046